(57)【要約】  ユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
2017126622.tif 000002
【特許請求の範囲】
【請求項１】
異なる周波数で運用される複数のセルの中からサービングセルとして用いる対象セルを選択する制御部と、
前記サービングセルにより報知されるセル再選択パラメータとして、再配分パラメータ及び絶対優先度を受信する受信部と、を備え、
前記制御部は、
前記再配分パラメータに基づいてターゲット周波数のセルへの前記対象セルの再選択を行うとともに所定タイマを起動する第１の処理と、
前記所定タイマの起動中において、前記第１の処理により選択したセルを前記対象セルとして用いる第２の処理と、
前記所定タイマの満了に応じて、前記絶対優先度を無視するとともに、前記再配分パラメータに基づいてターゲット周波数のセルへの前記対象セルの再選択を行う第３の処理と、を実行するユーザ端末。
【請求項２】
前記制御部は、前記対象セルの再選択がページング信号を用いて指示されることを示す指示情報を前記ユーザ端末が受信していないことを条件として、前記所定タイマの満了に応じて前記絶対優先度を無視する、請求項１に記載のユーザ端末。
【請求項３】
前記指示情報を前記ユーザ端末が受信した場合において、前記制御部は、前記所定タイマの満了に応じて、前記絶対優先度に基づいて前記対象セルの再選択を行う、請求項１に記載のユーザ端末。
【請求項４】
ユーザ端末であって、
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記ユーザ端末の移動速度に基づいて前記所定タイマの満了時間を変更する、ユーザ端末。
【請求項５】
前記制御部は、前記所定タイマの満了時間を定義する所定時間閾値に対して前記ユーザ端末の移動速度に基づいた係数を乗算した値を用いて、前記タイマの満了を判定する、請求項４に記載のユーザ端末。
【請求項６】
前記受信部は、前記所定タイマの満了時間を定義する複数の所定時間閾値を受信し、
前記制御部は、前記複数の所定時間閾値の中から、前記ユーザ端末の移動速度に基づいて選択された所定時間閾値を用いて、前記タイマの満了を判定する、請求項４に記載のユーザ端末。
【請求項７】
前記制御部は、前記所定タイマの起動後において前記ユーザ端末の移動速度が変化した場合に、前記所定タイマの満了時間を変更する、請求項４に記載のユーザ端末。
【請求項８】
前記制御部は、前記所定タイマを起動した際に参照された前記ユーザ端末の移動速度よりも前記ユーザ端末の移動速度が速くなった場合に、前記所定タイマの満了時間を変更する、請求項４に記載のユーザ端末。
【請求項９】
前記制御部は、前記所定タイマの起動中に前記所定タイマの満了時間を変更する、請求項４に記載のユーザ端末。
【請求項１０】
前記制御部は、前記所定タイマの満了後に前記所定タイマの満了時間を変更する、請求項４に記載のユーザ端末。
【請求項１１】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記所定タイマの停止を要求する停止要求信号を受信した場合に、前記所定タイマを停止する、ユーザ端末。
【請求項１２】
前記停止要求信号は、前記ターゲット周波数のセルの優先度よりも高い優先度を有する高優先セルを有する基地局から報知される、請求項１１に記載のユーザ端末。
【請求項１３】
前記制御部は、前記ユーザ端末の移動速度が所定速度よりも速く、かつ、前記停止要求信号を受信した場合に、前記所定タイマを停止する、請求項１１に記載のユーザ端末。
【請求項１４】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記所定タイマの起動中における異周波数再選択要求信号の受信に応じて、異周波数のセルへの前記対象セルの再選択を行う、ユーザ端末。
【請求項１５】
前記制御部は、前記ターゲット周波数のセルから報知されるパラメータに基づいて、前記異周波数のセルへの前記対象セルの再選択を行う、請求項１４に記載のユーザ端末。
【請求項１６】
異なる周波数で運用される複数のセルの中からサービングセルとして用いる対象セルを選択するステップＡと、
前記対象セルの再選択を要求する再選択要求信号を現在のサービングセルから受信するステップＢと、
前記再選択要求信号の受信に応じて、ターゲット周波数のセルへの前記対象セルの再選択を行うとともに所定タイマを起動するステップＣと、
前記所定タイマの起動中において前記ターゲット周波数のセルを前記対象セルとして用いるステップＤと、
前記ユーザ端末の移動速度に基づいて前記所定タイマの満了時間を変更するステップＥとを備えることを特徴とする移動通信方法。
【請求項１７】
異なる周波数で運用される複数のセルの中からサービングセルとして用いる対象セルを選択するステップＡと、
前記対象セルの再選択を要求する再選択要求信号を現在のサービングセルから受信するステップＢと、
前記再選択要求信号の受信に応じて、ターゲット周波数のセルへの前記対象セルの再選択を行うとともに所定タイマを起動するステップＣと、
前記所定タイマの起動中において前記ターゲット周波数のセルを前記対象セルとして用いるステップＤと、
前記所定タイマの停止を要求する停止要求信号を受信した場合に、前記所定タイマを停止するステップＥとを備えることを特徴とする移動通信方法。
【請求項１８】
異なる周波数で運用される複数のセルの中からサービングセルとして用いる対象セルを選択するステップＡと、
前記対象セルの再選択を要求する再選択要求信号を現在のサービングセルから受信するステップＢと、
前記再選択要求信号の受信に応じて、ターゲット周波数のセルへの前記対象セルの再選択を行うとともに所定タイマを起動するステップＣと、
前記所定タイマの起動中において前記ターゲット周波数のセルを前記対象セルとして用いるステップＤと、
前記所定タイマの起動中における異周波数再選択要求信号の受信に応じて、異周波数のセルへの前記対象セルの再選択を行うステップＥとを備えることを特徴とする移動通信方法。
【発明の詳細な説明】
【技術分野】
【０００１】
本発明は、異なる周波数で運用される複数のセルの中からサービングセルとして用いる対象セルを選択するユーザ端末及び移動通信方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、異なる周波数で運用される複数のセルの中からサービングセルとして用いる対象セルを選択する技術が提案されている（例えば、非特許文献１）。【０００３】
具体的には、ユーザ端末は、開始条件が満たされた場合に、現在のサービングセルに隣接する隣接セルの品質を測定し、選択条件を満たすセルの中からサービングセルとして用いる対象セルを選択する。
【先行技術文献】
【非特許文献】
【０００４】
【非特許文献１】３ＧＰＰ技術報告書  「ＴＳ３６．３０４  Ｖ１２．４．０」  ２０１５年３月
【発明の概要】
【０００５】
第１の特徴は、ユーザ端末であって、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
【０００６】
第２の特徴は、ユーザ端末であって、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
【０００７】
第３の特徴は、ユーザ端末であって、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記所定タイマの停止を要求する停止要求信号を受信した場合に、前記所定タイマを停止する。
【０００８】
第４の特徴は、ユーザ端末であって、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記所定タイマの起動中における異周波数再選択要求信号の受信に応じて、異周波数のセルへの前記対象セルの再選択を行う。
【０００９】
第５の特徴は、移動通信方法であって、異なる周波数で運用される複数のセルの中からサービングセルとして用いる対象セルを選択するステップＡと、前記対象セルの再選択を要求する再選択要求信号を現在のサービングセルから受信するステップＢと、前記再選択要求信号の受信に応じて、ターゲット周波数のセルへの前記対象セルの再選択を行うとともに所定タイマを起動するステップＣと、前記所定タイマの起動中において前記ターゲット周波数のセルを前記対象セルとして用いるステップＤと、前記ユーザ端末の移動速度に基づいて前記所定タイマの満了時間を変更するステップＥとを備える。
【００１０】
第６の特徴は、移動通信方法であって、異なる周波数で運用される複数のセルの中からサービングセルとして用いる対象セルを選択するステップＡと、前記対象セルの再選択を要求する再選択要求信号を現在のサービングセルから受信するステップＢと、前記再選択要求信号の受信に応じて、ターゲット周波数のセルへの前記対象セルの再選択を行うとともに所定タイマを起動するステップＣと、前記所定タイマの起動中において前記ターゲット周波数のセルを前記対象セルとして用いるステップＤと、前記所定タイマの停止を要求する停止要求信号を受信した場合に、前記所定タイマを停止するステップＥとを備える。
【００１１】
第７の特徴は、移動通信方法であって、異なる周波数で運用される複数のセルの中からサービングセルとして用いる対象セルを選択するステップＡと、前記対象セルの再選択を要求する再選択要求信号を現在のサービングセルから受信するステップＢと、前記再選択要求信号の受信に応じて、ターゲット周波数のセルへの前記対象セルの再選択を行うとともに所定タイマを起動するステップＣと、前記所定タイマの起動中において前記ターゲット周波数のセルを前記対象セルとして用いるステップＤと、前記所定タイマの起動中における異周波数再選択要求信号の受信に応じて、異周波数のセルへの前記対象セルの再選択を行うステップＥとを備える。
【図面の簡単な説明】
【００１２】
【図１】図１は、実施形態に係るＬＴＥシステムの構成図である。
【図２】図２は、実施形態に係るＵＥ１００のブロック図である。
【図３】図３は、実施形態に係るｅＮＢ２００のブロック図である。
【図４】図４は、実施形態に係る無線インターフェイスのプロトコルスタック図である。
【図５】図５は、実施形態に係るＬＴＥシステムで使用される無線フレームの構成図である。
【図６】図６は、実施形態に係る適用シーンを説明するための図である。
【図７】図７は、実施形態に係る移動通信方法を示すシーケンス図である。
【図８】図８は、変更例１に係る移動通信方法を示すフロー図である。
【図９】図９は、変更例２に係る移動通信方法を示すシーケンス図である。
【図１０】図１０は、変更例２０−変更例２２に係る適用シーンを説明するための図である。
【発明を実施するための形態】
【００１３】
以下において、実施形態に係る移動通信システムについて、図面を参照しながら説明する。なお、以下の図面の記載において、同一又は類似の部分には、同一又は類似の符号を付している。
【００１４】
ただし、図面は模式的なものであり、各寸法の比率などは現実のものとは異なる場合があることに留意すべきである。従って、具体的な寸法などは以下の説明を参酌して判断すべきである。また、図面相互間においても互いの寸法の関係や比率が異なる部分が含まれていることは勿論である。
【００１５】
［開示の概要］
背景技術で触れた移動通信システムでは、サービングセルとして用いる対象セルの選択は、隣接セルの品質に基づいて行われる。従って、地理的に近い位置に存在するユーザ端末が同一セルを対象セルとして選択する蓋然性が高い。また、ユーザ端末の地理的な分布には偏りがあることが多い。すなわち、ユーザ端末がサービングセルとして用いるセルが同一セルに偏る可能性があり、各セルの負荷分散を適切に行えない可能性がある。
【００１６】
開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。
【００１７】
このような構成によれば、第１に、開示の概要に係るユーザ端末では、制御部は、再選択要求信号の受信に応じて、ターゲット周波数のセルへの対象セルの再選択を行う。従って、各セルの負荷配分を適切に行うことができる。言い換えると、ＲＲＣアイドル状態のユーザ端末を各セルに適切に配分することができる。第２に、開示の概要に係るユーザ端末では、制御部は、再選択要求信号の受信に応じて所定タイマを起動し、制御部は、所定タイマの起動中においてターゲット周波数のセルを対象セルとして用いる。従って、再選択要求信号の受信に応じて対象セルの再選択が行われた後において、ソース周波数のセルとターゲット周波数のセルとの間におけるピンポン現象が抑制される。
【００１８】
さらに、上述した前提下において、開示の概要に係るユーザ端末は、以下の構成を有する。
【００１９】
上述した前提下において、前記制御部は、前記ユーザ端末の移動速度に基づいて前記所定タイマの満了時間を変更する。或いは、上述した前提下において、前記制御部は、前記所定タイマの停止を要求する停止要求信号を受信した場合に、前記所定タイマを停止する。或いは、前記制御部は、前記所定タイマの起動中における異周波数再選択要求信号の受信に応じて、異周波数のセルへの前記対象セルの再選択を行う。
【００２０】
従って、所定タイマの起動中において、ユーザ端末が再選択要求信号を受信した際にユーザ端末が位置していた第１エリアから、ターゲット周波数のセルよりも高い優先度を有する高優先度セルが設けられた第２エリアにユーザ端末が移動した場合において、所定タイマが満了するまで高優先度セルが対象セルとして選択されない事態を抑制することができる。
【００２１】
また、開示の概要に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
【００２２】
［実施形態］
以下において、移動通信システムとして、３ＧＰＰ規格に基づいたＬＴＥシステムを例に挙げて、実施形態を説明する。
【００２３】
（システム構成）
実施形態に係るＬＴＥシステムのシステム構成について説明する。図１は、実施形態に係るＬＴＥシステムの構成図である。
【００２４】
図１に示すように、実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２５】
ＵＥ１００は、ユーザ端末に相当する。ＵＥ１００は、移動型の通信装置である。ＵＥ１００は、ｅＮＢ２００によって形成されるセル（ＵＥ１００がＲＲＣコネクティッド状態である場合には、サービングセル）との無線通信を行う。ＵＥ１００の構成については後述する。
【００２６】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、無線基地局に相当する。ｅＮＢ２００は、Ｘ２インターフェイスを介して相互に接続される。ｅＮＢ２００の構成については後述する。
【００２７】
ｅＮＢ２００は、１又は複数のセルを形成する。ｅＮＢ２００は、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される。他に、「セル」は、ＵＥ１００との無線通信を行う機能を示す用語としても使用される。
【００２８】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ＬＴＥシステムのネットワークを構成する。
【００２９】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、制御部を構成する。無線送受信機１１０及びプロセッサ１６０は、送信部及び受信部を構成する。ＵＥ１００は、ＧＮＳＳ受信機１３０を有していなくてもよい。また、メモリ１５０をプロセッサ１６０と一体化し、このセット（すなわち、チップセット）をプロセッサとしてもよい。
【００３０】
アンテナ１０１及び無線送受信機１１０は、無線信号の送受信に用いられる。無線送受信機１１０は、プロセッサ１６０が出力するベースバンド信号（送信信号）を無線信号に変換する。送受信機１１０は、無線信号をアンテナ１０１から送信する。無線送受信機１１０は、アンテナ１０１が受信する無線信号をベースバンド信号（受信信号）に変換する。無線送受信機１１０は、ベースバンド信号をプロセッサ１６０に出力する。
【００３１】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、受け付けた操作の内容を示す信号をプロセッサ１６０に出力する。ＧＮＳＳ受信機１３０は、ＵＥ１００の地理的な位置を示す位置情報を得るためにＧＮＳＳ信号を受信する。ＧＮＳＳ受信機１３０は、受信されたＧＮＳＳ信号をプロセッサ１６０に出力する。バッテリ１４０は、ＵＥ１００の各ブロックに供給すべき電力を蓄える。
【００３２】
メモリ１５０は、プロセッサ１６０により実行されるプログラム、及びプロセッサ１６０による処理に使用される情報を記憶する。プロセッサ１６０は、ベースバンドプロセッサと、ＣＰＵ（Ｃｅｎｔｒａｌ  Ｐｒｏｃｅｓｓｉｎｇ  Ｕｎｉｔ）とを含む。ベースバンドプロセッサは、ベースバンド信号の変調・復調及び符号化・復号などを行う。ＣＰＵは、メモリ１５０に記憶されるプログラムを実行して各種の処理を行う。プロセッサ１６０は、音声・映像信号の符号化・復号を行うコーデックを含んでもよい。プロセッサ１６０は、後述する各種の処理及び各種の通信プロトコルを実行する。
【００３３】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、制御部を構成する。無線送受信機２１０（及び／又はネットワークインターフェイス２２０）及びプロセッサ２４０は、送信部及び受信部を構成する。また、メモリ２３０をプロセッサ２４０と一体化し、このセット（すなわち、チップセット）をプロセッサとしてもよい。
【００３４】
アンテナ２０１及び無線送受信機２１０は、無線信号の送受信に用いられる。無線送受信機２１０は、プロセッサ２４０が出力するベースバンド信号（送信信号）を無線信号に変換する。無線送受信機２１０は、無線信号をアンテナ２０１から送信する。無線送受信機２１０は、アンテナ２０１が受信する無線信号をベースバンド信号（受信信号）に変換する。無線送受信機２１０は、ベースバンド信号をプロセッサ２４０に出力する。
【００３５】
ネットワークインターフェイス２２０は、Ｘ２インターフェイスを介して隣接ｅＮＢ２００と接続される。ネットワークインターフェイス２２０は、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３６】
メモリ２３０は、プロセッサ２４０により実行されるプログラム、及びプロセッサ２４０による処理に使用される情報を記憶する。プロセッサ２４０は、ベースバンドプロセッサと、ＣＰＵとを含む。ベースバンドプロセッサは、ベースバンド信号の変調・復調及び符号化・復号などを行う。ＣＰＵは、メモリ２３０に記憶されるプログラムを実行して各種の処理を行う。プロセッサ２４０は、後述する各種の処理及び各種の通信プロトコルを実行する。
【００３７】
図４は、ＬＴＥシステムにおける無線インターフェイスのプロトコルスタック図である。図４に示すように、無線インターフェイスプロトコルは、ＯＳＩ参照モデルの第１層乃至第３層に区分されている。第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００３８】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御情報が伝送される。
【００３９】
ＭＡＣ層は、データの優先制御、ハイブリッドＡＲＱ（ＨＡＲＱ）による再送処理、及びランダムアクセス手順などを行う。ＵＥ１００のＭＡＣ層とｅＮＢ２００のＭＡＣ層との間では、トランスポートチャネルを介してユーザデータ及び制御情報が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００４０】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御情報が伝送される。
【００４１】
ＰＤＣＰ層は、ヘッダ圧縮・伸張、及び暗号化・復号化を行う。ＰＤＣＰ層には、データユニット（ＰＤＣＰ  ＰＤＵ）を送信するための送信エンティティ又はデータユニット（ＰＤＣＰ  ＰＤＵ）を受信するための受信エンティティが形成されることに留意すべきである。
【００４２】
ＲＲＣ層は、制御情報を取り扱う制御プレーンでのみ定義される。ＵＥ１００のＲＲＣ層とｅＮＢ２００のＲＲＣ層との間では、各種設定のための制御情報（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合に、ＵＥ１００はＲＲＣコネクティッド状態である。ＵＥ１００のＲＲＣとｅＮＢ２００のＲＲＣとの間に接続（ＲＲＣ接続）がない場合に、ＵＥ１００はＲＲＣアイドル状態である。
【００４３】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４４】
図５は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）が適用される。ＬＴＥシステムは、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）が適用される。
【００４５】
図５に示すように、無線フレームは、時間方向に並ぶ１０個のサブフレームで構成される。各サブフレームは、時間方向に並ぶ２個のスロットで構成される。各サブフレームの長さは１ｍｓである。各スロットの長さは０．５ｍｓである。各サブフレームは、周波数方向に複数個のリソースブロック（ＲＢ）を含む。各サブフレームは、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００４６】
（適用シーン）
以下において、適用シーンについて説明する。図６は、実施形態に係る適用シーンを説明するための図である。
【００４７】
図６に示すように、複数のｅＮＢ２００（例えば、ｅＮＢ２００＃１、ｅＮＢ２００＃２、ｅＮＢ２００＃３、ｅＮＢ２００＃４）を有する。ｅＮＢ２００＃１は、無線通信エリアとしてセル＃１を有している。ｅＮＢ２００＃２は、無線通信エリアとしてセル＃２を有している。ｅＮＢ２００＃３は、無線通信エリアとしてセル＃３−１及びセル＃３−２を有している。ｅＮＢ２００＃４は、無線通信エリアとしてセル＃４−１及びセル＃４−２を有している。
【００４８】
セル＃２、セル＃３−１、セル＃３−２、セル＃４−１及びセル＃４−２は、セル＃１と重複している。各セルは、互いに異なる周波数で運用されている。各セルが運用されている周波数には、優先度が定められている。周波数と優先度との対応関係は、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。
【００４９】
このような前提下において、ＵＥ１００は、異なる周波数で運用される複数のセルの中からサービングセルとして用いる対象セルを選択する。具体的には、ＵＥ１００は、開始条件が満たされた場合に、現在のサービングセルに隣接する隣接セルの品質を測定する。そして、ＵＥ１００は、選択条件を満たすセルの中からサービングセルとして用いる対象セルを選択する。
【００５０】
第１に、開始条件は、以下に示す通りである。
【００５１】
（Ａ１）現在のサービングセルの周波数の優先度よりも高い優先度を有する周波数
−ＵＥ１００は、高い優先度を有する周波数の品質を常に測定する。
【００５２】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【００５３】
第２に、選択条件は、以下に示す通りである。
【００５４】
（Ｂ１）隣接セルの周波数の優先度が現在のサービングセルの優先度よりも高い
−ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを対象セルとして選択する。このようなケースにおいて、隣接セルが満たすべき基準を“Ｓ−ｃｒｉｔｅｒｉａ”と称することもある。
【００５５】
但し、Ｓｑｕａｌは、セル選択品質レベルを表している。Ｓｑｕａｌは、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）である。Ｑｑｕａｌｍｉｎは、最小要求品質レベルである。Ｑｑｕａｌｍｉｎｏｆｆｓｅｔは、隣接セルに定常的に適用される所定オフセットである。Ｑｏｆｆｓｅｔｔｅｍｐは、隣接セルに一時的に適用されるオフセットである。ＴｈｒｅｓｈＸ，ＨｉｇｈＱは、所定閾値である。
【００５６】
Ｓｒｘｌｅｖは、セル選択受信レベルを表している。Ｓｒｘｌｅｖは、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信レベル（ＲＳＲＰ）である。Ｑｒｘｌｅｖｍｉｎは、最小要求受信レベルである。Ｑｒｘｌｅｖｍｉｎｏｆｆｓｅｔは、隣接セルに定常的に適用される所定オフセットである。Ｐｃｏｍｐｅｎｓａｔｉｏｎは、アップリンクの能力に関するパラメータである。Ｑｏｆｆｓｅｔｔｅｍｐは、隣接セルに一時的に適用されるオフセットである。ＴｈｒｅｓｈＸ，ＨｉｇｈＰは、所定閾値である。
【００５７】
（Ｂ２）隣接セルの周波数の優先度が現在のサービングセルの優先度と同じである
−ＵＥ１００は、現在のサービングセルのランキングＲｓ及び隣接セルのランキングＲｎを算出する。ＵＥ１００は、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【００５８】
但し、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信レベル（ＲＳＲＰ）である。Ｑｍｅａｓ，ｎは、隣接セルの受信レベル（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【００５９】
（Ｂ３）隣接セルの周波数の優先度が現在のサービングセルの優先度よりも低い
−ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００６０】
ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００６１】
対象セルの選択で用いる各種パラメータは、ｅＮＢ２００から報知されるシステム情報（ＳＩＢ；Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００６２】
実施形態において、ＵＥ１００（制御部）は、異なる周波数で運用される複数のセルの中からサービングセルとして用いる対象セルを選択する。具体的には、ＵＥ１００（制御部）は、現在のサービングセルの品質が所定品質基準を満たしている場合であっても、所定タイミングにおいて、現在のサービングセルに隣接する隣接セルの品質を測定する。「所定品質基準を満たしている」とは、上述した開始条件が満たされていないことである。詳細には、所定品質基準とは、上述した（Ａ２）に示したように、現在のサービングセルの品質が所定閾値を下回っていない条件である。
【００６３】
言い換えると、実施形態に係るＵＥ１００（制御部）は、原則として、現在のサービングセルの品質が所定品質基準を満たしている場合に、現在のサービングセルに隣接する隣接セルの品質測定を開始しないように構成されている。しかしながら、ＵＥ１００（制御部）は、後述するように、現在のサービングセルから受信するシステム情報に基づいて、例外的に隣接セルの品質測定を開始することに留意すべきである。
【００６４】
ＵＥ１００（制御部）は、現在のサービングセルから受信するシステム情報（ＳＩＢ；Ｓｙｓｔｅｍ  Ｉｎｆｏｒｍａｔｉｏｎ  Ｂｌｏｃｋ）に基づいて、所定タイミングを特定する。所定タイミングは、対象セルの選択に伴って隣接セルの品質測定を開始するタイミングを意味する。
【００６５】
システム情報は、隣接セルの品質測定を直ちに開始することを意味していてもよい。このようなケースにおいて、ＵＥ１００（制御部）は、システム情報を受信するタイミングを所定タイミングとして特定し、システム情報の受信に応じて隣接セルの品質測定を開始する。
【００６６】
システム情報は、隣接セルの品質測定を開始すべきサブフレーム番号を含んでもよい。ＵＥ１００（制御部）は、システム情報に含まれるサブフレーム番号を所定タイミングとして特定し、特定されたサブフレーム番号で隣接セルの品質測定を開始する。
【００６７】
システム情報は、所定タイミングの周期を示す情報を含んでもよい。例えば、システム情報は、隣接セルの品質測定を終了したタイミングで起動されるタイマに設定すべきタイマ値を含む。ＵＥ１００（制御部）は、タイマ値がセットされたタイマが満了したタイミングを所定タイミングとして特定し、特定されたタイミングで隣接セルの品質測定を開始する。
【００６８】
システム情報が所定タイミングの周期を示す情報を含む場合において、ＵＥ１００（制御部）は、ＵＥ１００に固有の値に基づいて、所定タイミングの周期を補正してもよい。ＵＥ１００に固有の値は、例えば、システム情報を受信するサブフレーム番号であってもよく、ＵＥ１００の識別子（ＵＥ−ＩＤ）であってもよい。ＵＥ１００（制御部）は、“タイマ値×ＵＥ−ＩＤ”によって得られる値をタイマにセットする。ＵＥ１００は、タイマが満了したタイミングで隣接セルの品質測定を開始する。
【００６９】
システム情報は、ＵＥ１００（制御部）が発生する乱数と対比すべき閾値を含んでもよい。ＵＥ１００（制御部）は、所定タイミングにおける乱数と閾値との比較結果に基づいて、隣接セルの品質を測定する。例えば、ＵＥ１００（制御部）は、所定タイミングにおいて、乱数が閾値よりも大きい若しくは乱数が閾値よりも小さいといった条件が満たされる場合に、隣接セルの品質測定を開始する。
【００７０】
（移動通信方法）
実施形態に係る移動通信方法について説明する。図７は、実施形態に係る移動通信方法を示すシーケンス図である。
【００７１】
図７に示すように、ステップＳ１０において、ＵＥ１００は、ＲＲＣアイドル状態である。
【００７２】
ステップＳ１１において、ＵＥ１００は、ｅＮＢ２００（現在のサービングセル）から報知されるシステム情報（ＳＩＢ；Ｓｙｓｔｅｍ  Ｉｎｆｏｒｍａｔｉｏｎ  Ｂｌｏｃｋ）を受信する。
【００７３】
ステップＳ１２において、ＵＥ１００は、現在のサービングセルの品質が所定品質基準を満たしている場合であっても、所定タイミングにおいて、現在のサービングセルに隣接する隣接セルの品質を測定する。ＵＥ１００は、システム情報（ＳＩＢ；Ｓｙｓｔｅｍ  Ｉｎｆｏｒｍａｔｉｏｎ  Ｂｌｏｃｋ）に基づいて、所定タイミングを特定する。
【００７４】
実施形態に係るＵＥ１００（制御部）は、現在のサービングセルの品質が所定品質基準を満たしている場合であっても、所定タイミングにおいて、現在のサービングセルに隣接する隣接セルの品質を測定する。すなわち、地理的に近い位置に存在するＵＥ１００であっても、対象セルの選択に伴う隣接セルの品質測定を開始するタイミングが時間的に離散する。従って、各セルの負荷分散を適切に行うことができる。言い換えると、ＲＲＣアイドル状態のＵＥ１００を各セルに適切に配分することができる。
【００７５】
［変更例１］
実施形態の変更例１について説明する。実施形態に対する相違点を主として説明する。
【００７６】
具体的には、実施形態では、ＵＥ１００は、現在のサービングセルの品質が所定品質基準を満たしている場合であっても、所定タイミングにおいて、現在のサービングセルに隣接する隣接セルの品質を測定する。これに対して、変更例１では、ＵＥ１００（制御部）は、実施形態で説明した（Ｂ１）〜（Ｂ３）に示すように、所定品質基準（Ｓ−ｃｒｉｔｅｒｉａやＲ−ｃｒｉｔｅｒｉａ）を満たす品質を有するセルの中から、サービングセルとして用いる対象セルを選択する。ＵＥ１００（制御部）は、対象セルの選択において、ランダム性を有する値を用いて、対象セルを選択する。
【００７７】
ランダム性を有する値とは、現在のサービングセルに在圏する全てのＵＥ１００に共通する値でなければよい。例えば、ランダム性を有する値とは、ＵＥ１００に割り当てられる識別子（ＵＥ−ＩＤ）、ＵＥ１００（制御部）が発生する乱数及びＵＥ１００のアクセス規制に関するアクセスクラス（ＡＣ）の中から選択された１以上の値である。
【００７８】
ＵＥ１００（制御部）は、ランダム性を有する値（例えば、ＵＥ−ＩＤ、乱数、ＡＣ）に基づいて、品質（例えば、Ｓｑｕａｌ、Ｓｒｘｌｅｖ、Ｑｍｅａｓ，ｓ、Ｑｍｅａｓ，ｎ）を補正してもよい。例えば、品質の補正方法としては、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）として新たな値を定義してもよく、新たなオフセットを導入してもよい。各種オフセットは、例えば、ｏｆｆｓｅｔ＝（ｄｅｆａｕｌｔ  ｏｆｆｓｅｔ）×（ＵＥ−ＩＤ÷ｎ）によって算出される。ｎは予め定められた値又はサービングセルから報知された値である。
【００７９】
ＵＥ１００（制御部）は、ランダム性を有する値（例えば、ＵＥ−ＩＤ、乱数、ＡＣ）に基づいて、複数のセルのそれぞれが運用されている周波数の優先度（ｃｅｌｌＲｅｓｅｌｅｃｔｉｏｎＰｒｉｏｒｉｔｙ）を補正してもよい。
【００８０】
ＵＥ１００（制御部）は、所定品質基準（Ｓ−ｃｒｉｔｅｒｉａやＲ−ｃｒｉｔｅｒｉａ）を満たす品質を有するセルの中から、ランダム性を有する値（例えば、ＵＥ−ＩＤ、乱数、ＡＣ）に基づいて、対象セルを選択してもよい。言い換えると、ＵＥ１００（制御部）は、所定品質基準（Ｓ−ｃｒｉｔｅｒｉａやＲ−ｃｒｉｔｅｒｉａ）を満たす品質を有するセルを特定し、特定されたセル（選択候補セル）の中から、ランダム性を有する値に基づいて、対象セルを選択する。例えば、ＵＥ１００（制御部）は、ランダム性を有する値に基づいて、選択候補セルのランキングを補正する。
【００８１】
ＵＥ１００（制御部）は、現在のサービングセルの周波数と同じ優先度を有する周波数で運用されているセルの中から、ランダム性を有する値に基づいて、対象セルを選択してもよい。現在のサービングセルの周波数と同じ優先度を有する周波数とは、現在のサービングセルの周波数と同じ周波数であってもよい。現在のサービングセルの周波数と同じ優先度を有する周波数とは、現在のサービングセルの周波数と異なる周波数であってもよい。言い換えると、ＵＥ１００（制御部）は、上述した条件を満たすセルを特定し、特定されたセル（選択候補セル）の中から、ランダム性を有する値に基づいて、対象セルを選択する。例えば、ＵＥ１００（制御部）は、ランダム性を有する値に基づいて、選択候補セルのランキングを補正する。
【００８２】
ＵＥ１００（制御部）は、所定範囲の品質を有するセルの中から、ランダム性を有する値に基づいて、対象セルを選択してもよい。所定範囲は、現在のサービングセルから報知されるシステム情報（ＳＩＢ；Ｓｙｓｔｅｍ  Ｉｎｆｏｒｍａｔｉｏｎ  Ｂｌｏｃｋ）に含まれることが好ましい。言い換えると、ＵＥ１００（制御部）は、所定範囲の品質を有するセルを特定し、特定されたセル（選択候補セル）の中から、ランダム性を有する値に基づいて、対象セルを選択してもよい。所定範囲の品質とは、最もよい品質に対する差異が所定範囲（例えば、５ｄＢ以内など）に含まれる品質であってもよい。所定の品質とは、ランキングの上位から数えて所定範囲（例えば、上位３つ）のランキングを有するセルの品質であってもよい。例えば、ＵＥ１００（制御部）は、ランダム性を有する値に基づいて、選択候補セルのランキングを補正する。
【００８３】
セルのランキングは、例えば、以下のように補正することが可能である。ランダム性を有する値として乱数を用いる場合には、セルのランキングは、Ｒｏｕｎｄｕｐ｛ＲＡＮＤ×（選択候補セル数）｝の関数を用いて変更される。ランダム性を有する値としてＵＥ−ＩＤを用いる場合には、（ＵＥ  ＩＤ）ｍｏｄ（Ｃｅｌｌ  ＩＤ）≦ｎの関係を満たす選択候補セルの中から、最もランキングの高いセルが対象セルを選択される。ｎは予め定められた値又はサービングセルから報知された値である。
【００８４】
（移動通信方法）
変更例１に係る移動通信方法について説明する。図８は、変更例１に係る移動通信方法を示すフロー図である。図８に示すフローは、ＵＥ１００によって行われることに留意すべきである。
【００８５】
図８に示すように、ステップＳ２０において、ＵＥ１００は、現在のサービングセルに隣接する隣接セルの品質の測定を開始する開始条件が満たされたか否かを判定する。ＵＥ１００は、判定結果がＹＥＳである場合には、ステップＳ２１の処理を行う。ＵＥ１００は、判定結果がＮＯである場合には、一連の処理を終了する。
【００８６】
開始条件は、上述したように、以下に示す通りである。
【００８７】
（Ａ１）現在のサービングセルの周波数の優先度よりも高い優先度を有する周波数
−ＵＥ１００は、高い優先度を有する周波数の品質を常に測定する。
【００８８】
（Ａ２）現在のサービングセルの周波数の優先度と等しい優先度又は低い優先度を有する周波数
−ＵＥ１００は、現在のサービングセルの品質が所定閾値を下回った場合に、等しい優先度又は低い優先度を有する周波数の品質を測定する。
【００８９】
ステップＳ２０においては、上述したように、周波数の優先度（ｃｅｌｌＲｅｓｅｌｅｃｔｉｏｎＰｒｉｏｒｉｔｙ）は、ランダム性を有する値（例えば、ＵＥ−ＩＤ、乱数、ＡＣ）に基づいて補正されてもよい。
【００９０】
ステップＳ２１において、ＵＥ１００は、現在のサービングセルに隣接する隣接セルの品質を測定する。
【００９１】
ステップＳ２１においては、上述したように、品質（例えば、Ｓｑｕａｌ、Ｓｒｘｌｅｖ、Ｑｍｅａｓ，ｓ、Ｑｍｅａｓ，ｎ）は、ランダム性を有する値（例えば、ＵＥ−ＩＤ、乱数、ＡＣ）に基づいて補正されてもよい。
【００９２】
ステップＳ２２において、ＵＥ１００は、所定品質基準（Ｓ−ｃｒｉｔｅｒｉａやＲ−ｃｒｉｔｅｒｉａ）を満たす品質を有するセル（選択候補セル）の中から、サービングセルとして用いる対象セルを選択する。
【００９３】
ステップＳ２２においては、上述したように、選択候補セルのランキングは、ランダム性を有する値（例えば、ＵＥ−ＩＤ、乱数、ＡＣ）に基づいて補正されてよい。
【００９４】
図８に係る説明では、変更例１の一部のみを例示しているが、ＵＥ１００は、上述したように、ランダム性を有する値を用いて対象セルを選択していればよいことに留意すべきである。
【００９５】
変更例１に係るＵＥ１００（制御部）は、ランダム性を有する値を用いて、対象セルを選択する。すなわち、地理的に近い位置に存在するＵＥ１００であっても、対象セルとして選択するセルにバラツキが生じる。従って、各セルの負荷分散を適切に行うことができる。言い換えると、ＲＲＣアイドル状態のＵＥ１００を各セルに適切に配分することができる。
【００９６】
［変更例２］
実施形態の変更例２について説明する。実施形態に対する相違点について主として説明する。
【００９７】
具体的には、実施形態では、ＵＥ１００は、現在のサービングセルの品質が所定品質基準を満たしている場合であっても、所定タイミングにおいて、現在のサービングセルに隣接する隣接セルの品質を測定する。これに対して、変更例２では、ＵＥ１００（制御部）は、実施形態で説明した（Ｂ１）〜（Ｂ３）に示すように、ＵＥ１００（制御部）は、所定品質基準（Ｓ−ｃｒｉｔｅｒｉａやＲ−ｃｒｉｔｅｒｉａ）を満たす品質を有するセルの中から、サービングセルとして用いる対象セルを選択する。ＵＥ１００（制御部）は、１以上のＵＥ１００を含むグループ毎に異なる再配分パラメータに基づいて、対象セルを選択する。
【００９８】
ＵＥ１００が属するグループは、コネクティッド状態からアイドル状態への遷移手順で用いるメッセージ（例えば、ＲＲＣ  Ｃｏｎｎｅｃｔｉｏｎ  Ｒｅｌｅａｓｅ）によって指定される。メッセージ（例えば、ＲＲＣ  Ｃｏｎｎｅｃｔｉｏｎ  Ｒｅｌｅａｓｅ）は、ＵＥ１００が属するグループを識別するグループ識別情報を含んでもよい。
【００９９】
再配分パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【０１００】
変更例２において、再配分パラメータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれることが好ましい。すなわち、再配分パラメータを報知するセルは、メッセージ（例えば、ＲＲＣ  Ｃｏｎｎｅｃｔｉｏｎ  Ｒｅｌｅａｓｅ）を送信するセルと異なっていてもよい。再配分パラメータは、メッセージ（例えば、ＲＲＣ  Ｃｏｎｎｅｃｔｉｏｎ  Ｒｅｌｅａｓｅ）に含まれていてもよい。
【０１０１】
ＵＥ１００（制御部）は、ＲＲＣアイドル状態からＲＲＣコネクティッド状態に再び遷移するまで、ＵＥ１００が属するグループを維持してもよい。すなわち、ＵＥ１００が属するグループは、ＲＲＣアイドル状態からＲＲＣコネクティッド状態への遷移によって解除される。ＵＥ１００（制御部）は、メッセージ（例えば、ＲＲＣ  Ｃｏｎｎｅｃｔｉｏｎ  Ｒｅｌｅａｓｅ）の受信によって起動するタイマが満了するまで、ＵＥ１００が属するグループを維持してもよい。すなわち、ＵＥ１００が属するグループは、グループの指定によって起動するタイマが満了した際に解除されてもよい。
【０１０２】
１以上のＵＥ１００を含むグループは、ＵＥ１００のカテゴリ（スループットの大きさ）、ＵＥ１００の能力（ＭＩＭＯのストリーム数等）、ＵＥ１００のトラフィックに係る統計（Ｓ１  Ｉｎｉｔｉａｌ  ＵＥ  Ｃｏｎｔｅｘｔ  Ｓｅｔｕｐ）、ＵＥ１００の移動性に係る統計（Ｓ１  Ｉｎｉｔｉａｌ  ＵＥ  Ｃｏｎｔｅｘｔ  Ｓｅｔｕｐ）及びＵＥ１００の位置情報（ｍｅａｓｕｒｅｍｅｎｔ  ｒｅｐｏｒｔ含む）の中から選択される１以上の情報に基づいて形成されてもよい。
【０１０３】
１以上のＵＥ１００を含むグループは、ＵＥ１００のアクセス規制に関するアクセスクラス（ＡＣ）によって形成されてもよい。すなわち、再配分パラメータは、ＵＥ１００のアクセス規制に関するアクセスクラス毎に異なる。
【０１０４】
（移動通信方法）
変更例２に係る移動通信方法について説明する。図９は、変更例２に係る移動通信方法を示すシーケンス図である。
【０１０５】
図９に示すように、ステップＳ３０において、ＵＥ１００は、ＲＲＣコネクティッド状態である。
【０１０６】
ステップＳ３１において、ＵＥ１００は、コネクティッド状態からアイドル状態への遷移手順で用いるメッセージ（ＲＲＣ  Ｃｏｎｎｅｃｔｉｏｎ  Ｒｅｌｅａｓｅ）を受信する。メッセージ（ＲＲＣ  Ｃｏｎｎｅｃｔｉｏｎ  Ｒｅｌｅａｓｅ）は、ＵＥ１００が属するグループを指定する。
【０１０７】
ステップＳ３２において、ＵＥ１００は、ＲＲＣアイドル状態である。
【０１０８】
ステップＳ３３において、ＵＥ１００は、ｅＮＢ２００（現在のサービングセル）から報知されるシステム情報（ＳＩＢ；Ｓｙｓｔｅｍ  Ｉｎｆｏｒｍａｔｉｏｎ  Ｂｌｏｃｋ）を受信する。システム情報は、１以上のＵＥ１００を含むグループ毎に異なる再配分パラメータを含む。
【０１０９】
再配分パラメータを報知するセルは、メッセージ（例えば、ＲＲＣ  Ｃｏｎｎｅｃｔｉｏｎ  Ｒｅｌｅａｓｅ）を送信するセルと異なっていてもよい。
【０１１０】
ステップＳ３４において、ＵＥ１００は、ＵＥ１００が属するグループに割り当てられた再配分パラメータに基づいて、対象セルを選択する。
【０１１１】
変更例２に係るＵＥ１００（制御部）は、１以上のＵＥ１００を含むグループ毎に異なる再配分パラメータに基づいて、対象セルを選択する。すなわち、地理的に近い位置に存在するＵＥ１００であっても、グループ毎に対象セルとして選択するセルにバラツキが生じる。従って、各セルの負荷分散を適切に行うことができる。言い換えると、ＲＲＣアイドル状態のＵＥ１００を各セルに適切に配分することができる。
【０１１２】
［変更例３］
実施形態の変更例３について説明する。変更例１に対する相違点について主として説明する。
【０１１３】
変更例１では、ＵＥ１００（制御部）は、ランダム性を有する値に基づいて、選択候補セルのランキングを補正するケースを例示した。これに対して、変更例３では、ランダム性を有する値に基づいた対象セルの選択方法として他の選択方法を説明する。
【０１１４】
具体的には、ＵＥ１００（受信部）は、制御部が発生する乱数と対比すべき閾値を含むシステム情報を受信する。ＵＥ１００（制御部）は、乱数と閾値との比較結果に基づいて、対象セルを選択する。
【０１１５】
さらに詳細には、ＵＥ１００（制御部）は、上述したように、複数のセルのそれぞれの品質の測定結果に基づいて、複数のセルのそれぞれのランキングを算出する。ランキングは、上述したように、現在のサービングセルのランキングＲｓ及び隣接セルのランキングＲｎである。ＵＥ１００（制御部）は、乱数と閾値との比較結果に基づいて、対象セルを選択する。
【０１１６】
このようなケースにおいて、システム情報は、ランキング毎に異なる閾値を含む。ＵＥ１００（制御部）は、ランキング毎に乱数を発生するとともに、ランキング毎の乱数と閾値との比較結果に基づいて、対象セルを選択する。ＵＥ１００（制御部）は、ランキングが高い順に乱数と閾値とを比較する。そしてＵＥ１００は、乱数と閾値との比較結果が選択条件を満たすセルを対象セルとして選択してもよい。
【０１１７】
例えば、システム情報は、ランキングと閾値とを対応付ける情報（Ｒａｎｋｉｎｇ＿Ｎｏ，Ｐｒｏｂａｂｉｌｉｔｙ）を含む。このような情報（Ｒａｎｋｉｎｇ＿Ｎｏ，Ｐｒｏｂａｂｉｌｉｔｙ）は、｛Ｒａｎｋ１，０．６｝，｛Ｒａｎｋ２，０．８｝，｛Ｒａｎｋ３，１．０｝といった情報である。｛Ｒａｎｋ１，０．６｝は、Ｒａｎｋ１に対応付けられた閾値が０．６であることを意味する。｛Ｒａｎｋ２，０．８｝は、Ｒａｎｋ２に対応付けられた閾値が０．８であることを意味する。｛Ｒａｎｋ３，１．０｝は、Ｒａｎｋ３に対応付けられた閾値が１．０であることを意味する。ＵＥ１００（制御部）が発生する乱数が取り得る範囲は０〜１である。乱数と閾値との比較結果が満たすべき選択条件は、例えば、乱数が閾値以下であるという条件である。
【０１１８】
第１に、ＵＥ１００（制御部）は、ランキング１のセルを対象セルとして選択として選択するか否かを判定する。すなわち、ＵＥ１００（制御部）は、ランキング１のセル用の乱数を発生するとともに、乱数と０．６との比較結果が選択条件を満たすか否かを判定する。例えば、ＵＥ１００（制御部）は、乱数が０．８である場合には、選択条件が満たされないと判定する。従って、ＵＥ１００（制御部）は、対象セルの選択を継続する。
【０１１９】
第２に、ＵＥ１００（制御部）は、ランキング２のセルを対象セルとして選択として選択するか否かを判定する。すなわち、ＵＥ１００（制御部）は、ランキング２のセル用の乱数を発生するとともに、乱数と０．８との比較結果が選択条件を満たすか否かを判定する。例えば、ＵＥ１００（制御部）は、乱数が０．７である場合には、選択条件が満たされたと判定する。従って、ＵＥ１００（制御部）は、ランキング２のセルを対象セルとして選択するとともに、対象セルの選択を終了する。
【０１２０】
上述した対象セルの選択方法によれば、ランキング１のセルが対象セルとして選択される確率は６０％である。ランキング２のセルが対象セルとして選択される確率は３２％（｛１−０．６｝×０．８）である。ランキング３のセルが対象セルとして選択される確率は８％（１−０．６−０．３２）である。システム情報に含まれる閾値は、高いランキングを有するセルが対象セルとして選択されやすいように定められていてもよい。変更例３はこれに限定されるものではなく、システム情報に含まれる閾値は、セルの負荷や能力によって定められてもよい。
【０１２１】
変更例３においては、システム情報がランキングと閾値とを対応付ける情報（Ｒａｎｋｉｎｇ＿Ｎｏ，Ｐｒｏｂａｂｉｌｉｔｙ）を含むケースについて例示した。しかしながら、変更例３はこれに限定されるものではない。例えば、システム情報は、優先度と閾値とを対応付ける情報（Ｐｒｉｏｒｉｔｙ，Ｐｒｏｂａｂｉｌｉｔｙ）を含む。
【０１２２】
このようなケースにおいて、ＵＥ１００（制御部）は、優先度毎に乱数を発生するとともに、優先度毎の乱数と閾値との比較結果に基づいて、対象セルを選択する。ＵＥ１００（制御部）は、優先度が高い順に乱数と閾値とを比較するとともに、乱数と閾値との比較結果が選択条件を満たすセルを対象セルとして選択してもよい。
【０１２３】
優先度とは、セルが運用されている周波数の優先度であってもよく、セルに固有の優先度であってもよい。
【０１２４】
［変更例４］
実施形態の変更例４について説明する。実施形態及び変更例３に対する相違点について主として説明する。
【０１２５】
変更例４において、ＵＥ１００（制御部）は、現在のサービングセルから報知される複数のトリガー通知のいずれかである参照トリガー通知に応じて、対象セルを選択する（又は再選択する、以下同様）動作（又は手順、以下同様）をトリガーする（又は実行する若しくは開始する、以下同様）。参照トリガー通知は、複数のトリガー通知のいずれか１つのトリガー通知であることが好ましい。参照トリガー通知は、複数のトリガー通知の中の一部のトリガー通知であればよく、２以上のトリガー通知であってもよい。
【０１２６】
トリガー通知とは、ネットワーク（ここでは、現在のサービングセル）の主導で、対象セルをＵＥ１００が選択する動作を直接的又は間接的にトリガーするための通知である。トリガー通知とは、一定期間内において複数回に亘って報知される通知であればよい。言い換えれば、トリガー通知とは、対象セルを選択する動作を実行するようＵＥ１００に指示する通知であってもよい。
【０１２７】
例えば、トリガー通知は、実施形態で説明したシステム情報（ＳＩＢ；Ｓｙｓｔｅｍ  Ｉｎｆｏｒｍａｔｉｏｎ  Ｂｌｏｃｋ）であってもよい。実施形態で説明したシステム情報は、ＵＥ１００が隣接セルの品質測定を開始する所定タイミングを特定するための情報を含む。実施形態で説明したシステム情報は、対象セルをＵＥ１００が選択する動作を直接的にトリガーすることに留意すべきである。
【０１２８】
トリガー通知は、変更例３で説明したシステム情報（ＳＩＢ；Ｓｙｓｔｅｍ  Ｉｎｆｏｒｍａｔｉｏｎ  Ｂｌｏｃｋ）であってもよい。上述したように、変更例３で説明したシステム情報は、乱数と対比すべき閾値を含む。変更例３で説明したシステム情報は、ランキングと閾値とを対応付ける情報（Ｒａｎｋｉｎｇ＿Ｎｏ，Ｐｒｏｂａｂｉｌｉｔｙ）を含んでもよい。変更例３で説明したシステム情報は、優先度と閾値とを対応付ける情報（Ｐｒｉｏｒｉｔｙ，Ｐｒｏｂａｂｉｌｉｔｙ）を含んでもよい。ＵＥ１００（制御部）は、変更例３で説明したシステム情報の受信に応じて、乱数と閾値との比較結果が選択条件を満たすセルを対象セルとして選択する。変更例３で説明したシステム情報は、対象セルをＵＥ１００が選択する動作を間接的にトリガーすることに留意すべきである。
【０１２９】
このようなケースにおいて、複数のトリガー通知のそれぞれは、カウンタ値を含む。ＵＥ１００（制御部）は、対象セルを選択する動作のトリガー（又は実行、以下同様）に応じて、参照トリガー通知に含まれるカウンタ値をカウンタに格納する。例えば、ＵＥ１００は、メモリ１５０にカウンタを保持する。ＵＥ１００は、参照トリガー通知に応じて対象セルを選択する動作をトリガーする毎に、カウンタにカウンタ値を蓄積してもよい。ＵＥ１００（制御部）は、現在のサービングセルから報知されるトリガー通知に含まれるカウンタ値がカウンタに格納されるカウンタ値と一致する場合に、当該トリガー通知に応じて対象セルを選択する動作をトリガーしない（又は実行を禁止する）。ＵＥ１００（制御部）は、現在のサービングセルから報知されるトリガー通知に含まれるカウンタ値がカウンタに格納されるカウンタ値と一致しない場合に、対象セルを選択する動作をトリガーする。これによって、一定期間内にいて複数回に亘って報知されるトリガー通知のいずれかのトリガー通知（すなわち、参照トリガー通知）に応じて、ＵＥ１００によって対象セルを選択する動作が１回だけトリガーされる。言い換えると、一定期間内における複数のトリガー通知のそれぞれに応じて、対象セルを選択する動作が複数回に亘ってトリガーされる事態が抑制される。言い換えれば、ＵＥ１００は、一種類のトリガー通知に応じて、対象セルを選択する動作を最大１回トリガーする。カウンタ値は、所定の数値（０〜９等）であってもよい。
【０１３０】
複数のトリガー通知のそれぞれに含まれるカウンタ値は、対象セルを選択する動作をＵＥ１００にトリガーさせようとするタイミングにおいて現在のサービングセルによって更新される。すなわち、現在のサービングセルは、ＲＲＣアイドル状態のＵＥ１００を各セルに再配分しようとするタイミングにおいて、更新されたカウンタ値を含むトリガー通知を一定期間内において複数回に亘って報知する。
【０１３１】
複数のトリガー通知のそれぞれに応じて、対象セルを選択する動作がＵＥ１００によって複数回に亘ってトリガーされると、現在のサービングセルに在圏する殆どのＵＥ１００が対象セルの選択を行ってしまう。言い換えると、殆どのＵＥ１００が同様のセルをサービングセルとして選択してしまい、結果として、ＲＲＣアイドル状態のＵＥ１００を各セルに適切に配分することができない。
【０１３２】
変更例４では、ＵＥ１００（制御部）は、現在のサービングセルから報知される複数のトリガー通知のいずれかである参照トリガー通知に応じて、対象セルを選択する動作をトリガーする。従って、ＲＲＣアイドル状態のＵＥ１００を各セルに適切に配分することができる。
【０１３３】
［変更例５］
実施形態の変更例５について説明する。変更例４に対する相違点について主として説明する。
【０１３４】
変更例４では、トリガー通知は、実施形態又は変更例３で説明したシステム情報（ＳＩＢ；Ｓｙｓｔｅｍ  Ｉｎｆｏｒｍａｔｉｏｎ  Ｂｌｏｃｋ）である。これに対して、変更例５では、トリガー通知は、対象セルの再選択を要求する再選択要求信号である。
【０１３５】
変更例５において、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。ＵＥ１００（制御部）は、上述した（Ａ１）及び（Ａ２）に示す開始条件が満たされなくても、対象セルの再選択に伴う隣接セルの品質測定を開始することに留意すべきである。
【０１３６】
現在のサービングセルは、現在のサービングセルの負荷が所定負荷以上である場合に、再選択要求信号を報知する。現在のサービングセルは、現在のサービングセルの負荷が所定負荷以上である期間において、再選択要求信号を繰り返し報知することが好ましい。言い換えると、ＵＥ１００（受信部）は、現在のサービングセルの負荷が所定負荷以上である場合に、再選択要求信号を現在のサービングセルから受信する。ＵＥ１００（受信部）は、現在のサービングセルの負荷が所定負荷以上である期間において、再選択要求信号を繰り返し受信することが好ましい。
【０１３７】
変更例５において、再選択要求信号は、現在のサービングセルが対象セルとして選択されにくくするための再配分パラメータを含む。ＵＥ１００（制御部）は、再配分パラメータに基づいて、対象セルを選択する。詳細には、再配分パラメータは、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであってもよい。再分配パラメータは、現在のサービングセルの周波数の優先度（ｃｅｌｌＲｅｓｅｌｅｃｔｉｏｎＰｒｉｏｒｉｔｙ）を下げる段階数を示すオフセットであってもよい。再配分パラメータは、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）であってもよい。
【０１３８】
変更例５において、再選択要求信号の受信に応じて適用される再配分パラメータは、再選択要求信号に含まれておらず、現在のサービングセルから再選択要求信号とは別に報知されるシステム情報（ＳＩＢ；Ｓｙｓｔｅｍ  Ｉｎｆｏｒｍａｔｉｏｎ  Ｂｌｏｃｋ）に含まれてもよい。再選択要求信号の受信に応じて適用される再配分パラメータは、予め定められていてもよい。このようなケースにおいて、ＵＥ１００（制御部）は、再選択要求信号の受信に応じて、現在のサービングセルから報知された再配分パラメータ又は予め定められた再配分パラメータに基づいて対象セルの再選択を行う。
【０１３９】
変更例５において、ＵＥ１００（制御部）は、再選択要求信号を受信しても、所定条件が満たされている場合に、対象セルの再選択を行わずに現在のサービングセルへの在圏を維持してもよい。所定条件とは、ＵＥ１００の種別（ＵＥ  ｃｌａｓｓ）、現在のサービングセルの周波数の優先度、ＵＥ１００の消費電力設定、前回の再選択要求信号を受信してから経過した時間及びランダム性を有する値の少なくともいずれか１つ情報に関する条件である。
【０１４０】
例えば、ＵＥ１００の種別（ＵＥ  ｃｌａｓｓ）がＭＴＣ（Ｍａｃｈｉｎｅ  Ｔｙｐｅ  Ｃｏｍｍｕｎｉｃａｔｉｏｎ）やデータ専用端末である場合には、通信データ量が少ない。この場合、ＵＥ１００（制御部）は、対象セルの再選択を行わずに現在のサービングセルへの在圏を維持することが好ましい。
【０１４１】
現在のサービングセルの周波数の優先度が最も高い優先度（ｈｉｇｈｅｓｔ  ｐｒｉｏｒｉｔｙ）である場合には、ＭＢＭＳデータを受信している可能性やＤ２Ｄ近傍サービス（Ｄ２Ｄ  ＰｒｏＳｅ）を提供している可能性が高い。この場合、ＵＥ１００（制御部）は、対象セルの再選択を行わずに現在のサービングセルへの在圏を維持することが好ましい。
【０１４２】
ＵＥ１００の消費電力設定が低消費電力設定である場合には、消費電力を抑制するために、ＵＥ１００（制御部）は、対象セルの再選択を行わずに現在のサービングセルへの在圏を維持することが好ましい。
【０１４３】
前回の再選択要求信号を受信してから経過した時間が所定時間を経過していない場合には、ピンポン現象を抑制するために、ＵＥ１００（制御部）は、対象セルの再選択を行わずに現在のサービングセルへの在圏を維持することが好ましい。例えば、ＵＥ１００（制御部）は、前回の再選択要求信号を受信したタイミングでタイマを起動し、タイマが満了するまでの間において、対象セルの再選択を行わないことが好ましい。
【０１４４】
ＵＥ１００（制御部）は、複数のＵＥ１００が一斉に対象セルの再選択を行う事態を抑制するとともに、ＵＥ１００を各セルにランダムに配分するために、ランダム性を有する値が所定値以外である場合に、対象セルの再選択を行わずに現在のサービングセルへの在圏を維持することが好ましい。ランダム性を有する値とは、現在のサービングセルに在圏する全てのＵＥ１００に共通する値でなければよい。例えば、ランダム性を有する値とは、再選択要求信号をＵＥ１００が受信するサブフレーム番号（ＳＦＮ）であってもよい。ランダム性を有する値とは、再選択要求信号を受信するＵＥ１００の識別子（ＵＥ−ＩＤ）であってもよい。ランダム性を有する値とは、ＵＥ１００が発生する乱数であってもよい。例えば、ＵＥ１００（制御部）は、ＳＦＮｍｏｄＵＥ−ＩＤ（÷ｎ）＝０が満たされた場合に、対象セルの再選択を行う。ＵＥ１００は、ＳＦＮｍｏｄＵＥ−ＩＤ（÷ｎ）＝０が満たされない場合に、対象セルの再選択を行わない。ｎは予め定められた値又はサービングセルから報知された値である。
【０１４５】
［変更例６］
実施形態の変更例６について説明する。実施形態、変更例１乃至変更例５のいずれかに対する相違点について主として説明する。
【０１４６】
具体的には、実施形態、変更例１乃至変更例５では、システム情報（ＳＩＢ；Ｓｙｓｔｅｍ  Ｉｎｆｏｒｍａｔｉｏｎ  Ｂｌｏｃｋ）などの信号は、現在のサービングセルからＵＥ１００に対して報知される。
【０１４７】
これに対して、変更例６では、現在のサービングセルから報知されるシステム情報などの信号は、ＵＥ１００に対して報知されるとともに、現在のサービングセル（ｅＮＢ２００）に隣接する隣接セル（ｅＮＢ２００）に対しても通知される。或いは、現在のサービングセル（ｅＮＢ２００）の負荷状態は、現在のサービングセル（ｅＮＢ２００）に隣接する隣接セル（ｅＮＢ２００）に対しても通知される。システム情報などの信号や負荷状態は、２以上のｅＮＢ２００を接続するＸ２インターフェイスを介して各セル間で交換される。各セルで報知されているシステム情報などの信号（対象セルの再選択を促すパラメータ）や各セルの負荷状態が各セルで共有されるため、複数のセルの協調制御を行うことが可能である。
【０１４８】
例えば、互いに隣接する複数のセルの負荷がいずれも高いケースにおいて、複数のセルの間において対象セルの再選択が頻繁に生じる現象（ピンポン現象）を抑制することができる。詳細には、現在のサービングセルは、隣接セルでシステム情報などの信号（対象セルの再選択を促すパラメータ）が報知されているケース又は隣接セルの負荷が閾値よりも高いケースにおいて、ＵＥ１００に対するシステム情報などの信号（対象セルの再選択を促すパラメータ）の報知をペンディングする。
【０１４９】
システム情報などの信号は、実施形態で説明したように、隣接セルの品質測定を開始するタイミング（特定タイミング）を特定するためのパラメータを含んでもよい。システム情報などの信号は、変更例１で説明したように、ランダム性を有する値に基づいた対象セルの選択で参照される所定範囲を含んでもよい。システム情報などの信号は、変更例２で説明したように、１以上のＵＥ１００を含むグループ毎に異なる再配分パラメータを含んでもよい。システム情報などの信号は、変更例３で説明したように、制御部が発生する乱数と対比すべき閾値を含んでもよい。システム情報などの信号は、変更例４で説明したように、対象セルの再選択を促すためのトリガー通知を含んでもよい。システム情報などの信号は、変更例５で説明したように、対象セルの再選択を促す再選択要求信号を含んでもよく、再選択要求信号の受信に応じて適用される再配分パラメータを含んでもよい。
【０１５０】
［変更例７］
実施形態の変更例７について説明する。変更例５に対する相違点について主として説明する。
【０１５１】
変更例５では特に触れていないが、変更例７において、再選択要求信号は、ｅＮＢ２００（サービングセル）から報知されるページング信号に含まれる。
【０１５２】
具体的には、ｅＮＢ２００（サービングセル）の送信部は、異なるページング機会でページング信号を報知する。ｅＮＢ２００（サービングセル）は、対象セルの再選択を要求する再選択要求信号を含むページング信号を報知する。
【０１５３】
ページング機会は、ページング信号を含むサブフレームである。１以上のページング機会が無線フレーム（ページングフレーム）に含まれる。ページングフレーム（ＰＦ）は、ＰＦ＝ＳＦＮｍｏｄＴ＝（ＴｄｉｖＮ）ｘ（ＵＥ＿ＩＤｍｏｄＮ）によって算出される。Ｔは、ＵＥ１００のＤＲＸサイクルであり、Ｎは、ｍｉｎ（Ｔ，ｎＢ）で表される。ｎＢは、４Ｔ，２Ｔ，Ｔ，Ｔ／２，Ｔ／４，Ｔ／８，Ｔ／１６及びＴ／３２の中から選択される値である。ページング機会は、Ｎｓ及びｉ＿ｓの関係によって定義される。ｉ＿ｓは、ｉ＿ｓ＝ｆｌｏｏｒ（ＵＥ＿ＩＤ／Ｎ）ｍｏｄＮｓで表される。Ｎｓは、ｍａｘ（１，ｎＢ／Ｔ）で表される。
【０１５４】
変更例７では、ｅＮＢ２００（サービングセル）は、再選択要求信号を含むページング信号として、第１ページング機会で第１ページング信号を報知する。ｅＮＢ２００（サービングセル）は、再選択要求信号を含まないページング信号として、第１ページング機会とは異なる第２ページング機会で第２ページング信号を報知する。言い換えると、ｅＮＢ２００（サービングセル）は、ページング信号に再選択要求信号を含める否かをページング周期毎に判定する。そして、ｅＮＢ２００（サービングセル）は、再選択要求信号を含むページング信号又は再選択要求信号を含まないページング信号をページング周期毎に報知する。
【０１５５】
ＵＥ１００（受信部）は、現在のサービングセルから報知されるページング信号を受信する。ＵＥ１００は、自端末に割り当てられたページング周期でページング信号を受信することに留意すべきである。ＵＥ１００（制御部）は、ページング信号に含まれる再選択要求信号に応じて、対象セルの再選択を行う。ＵＥ１００は、変更例５と同様に、上述した（Ａ１）及び（Ａ２）に示す開始条件が満たされなくても、対象セルの再選択に伴う隣接セルの品質測定を開始することに留意すべきである。
【０１５６】
変更例７では、ＵＥ１００は、自端末に割り当てられたページング周期で受信するページング信号が自端末宛のページング信号ではなくても、ページング信号に含まれる再選択要求信号に応じて、対象セルの再選択を行うことが好ましい。
【０１５７】
変更例７では、ＵＥ１００は、ページング信号に含まれる再選択要求信号に応じて、対象セルの再選択を行う。すなわち、ネットワーク（現在のサービングセル）側のトリガーによって、対象セルの再選択をＲＲＣアイドル状態のＵＥ１００に促す。従って、各セルの負荷分散を適切に行うことができる。言い換えると、ＲＲＣアイドル状態のＵＥ１００を各セルに適切に配分することができる。
【０１５８】
ページング周期はＵＥ１００毎に異なるため、ページング信号に含まれる再選択要求信号に応じて対象セルの再選択を行うＵＥ１００のランダム性が担保され、ＲＲＣアイドル状態のＵＥ１００を各セルに適切に配分することができる。
【０１５９】
変更例７では、ｅＮＢ２００（サービングセル）は、ページング信号に再選択要求信号を含める否かをページング周期毎に判定する。ｅＮＢ２００（サービングセル）は、再選択要求信号を含むページング信号又は再選択要求信号を含まないページング信号をページング周期毎に報知する。従って、ページング信号に含まれる再選択要求信号に応じて対象セルの再選択を行うＵＥ１００の割合を、ある程度、ｅＮＢ２００（サービングセル）側で制御することができる。例えば、ｅＮＢ２００（サービングセル）の負荷に応じて、対象セルの再選択を行うＵＥ１００の割合を決定することによって、各セルの負荷分散を適切に行うことができる。
【０１６０】
［変更例８］
実施形態の変更例８について説明する。変更例１に対する相違点について主として説明する。
【０１６１】
具体的には、変更例１では、ＵＥ１００（制御部）は、ランダム性を有する値（例えば、ＵＥ−ＩＤ、乱数、ＡＣ）に基づいて、品質（例えば、Ｓｑｕａｌ、Ｓｒｘｌｅｖ、Ｑｍｅａｓ，ｓ、Ｑｍｅａｓ，ｎ）を補正するケースについて例示した。このようなケースにおいて、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）は、例えば、ｏｆｆｓｅｔ＝（ｄｅｆａｕｌｔ  ｏｆｆｓｅｔ）×（ＵＥ−ＩＤ÷ｎ）によって算出される。
【０１６２】
これに対して、変更例８では、ＵＥ１００（制御部）は、ランダム性を有する値（例えば、ＵＥ−ＩＤ、乱数、ＡＣ）に基づいて、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を補正する。各種閾値は、上述したように、対象セルの選択で用いる各種パラメータの一例である。各種閾値は、例えば、ｔｈｒｅｓｈｏｌｄ＝（ｄｅｆａｕｌｔ  ｔｈｒｅｓｈｏｌｄ）×（ＵＥ−ＩＤ÷ｎ）によって算出される。ｎは予め定められた値又はサービングセルから報知された値である。
【０１６３】
［変更例９］
実施形態の変更例９について説明する。変更例５に対する相違点について主として説明する。
【０１６４】
変更例５では、ＵＥ１００（制御部）は、再選択要求信号の受信に応じて、対象セルの再選択を行う。ＵＥ１００は、再選択要求信号に含まれる再配分パラメータに基づいて対象セルを選択する。これに対して、変更例９では、ＵＥ１００（制御部）は、再選択要求信号に依存しないトリガーに応じて、第１再選択処理を行うとともに、再選択要求信号の受信に応じて、第１再選択処理とは異なる第２再選択処理を行う。
【０１６５】
第１再選択処理は、上述した開始条件（Ａ１）〜（Ａ２）のいずれかが満たされた場合に、現在のサービングセルに隣接する隣接セルの品質を測定し、上述した選択条件（Ｂ１）〜（Ｂ３）のいずれかが満たされた場合に、対象セルを選択する処理である。第２再選択処理は、対象セルの再選択において第１選択処理とは異なるルールが適用される処理である。第２再選択処理に適用されるルールは、以下に示す通りである。
【０１６６】
（ルール１）
第２再選択処理に適用されるルール１では、ＵＥ１００は、予め設定されている周波数の優先度（ｃｅｌｌＲｅｓｅｌｅｃｔｉｏｎＰｒｉｏｒｉｔｙ）を用いない。
【０１６７】
例えば、ＵＥ１００は、予め設定されている周波数の優先度に代えて、各セル又は周波数の優先度として同一の優先度を用いる。このようなケースでは、開始条件として、上述した（Ａ２）のみが用いられてもよい。選択条件として、上述した（Ｂ２）のみが用いられてもよい。
【０１６８】
ＵＥ１００は、予め設定されている周波数の優先度（ｃｅｌｌＲｅｓｅｌｅｃｔｉｏｎＰｒｉｏｒｉｔｙ）を無視してもよい。このようなケースでは、開始条件として、上述した（Ａ１）及び（Ａ２）のいずれか１つのみが用いられてもよい。選択条件として、上述した（Ｂ１）〜（Ｂ３）のいずれか１つのみが用いられてもよい。
【０１６９】
上述した（Ｂ２）は、現在のサービングセルのランキングＲｓ及び隣接セルのランキングＲｎに基づいて対象セルの再選択を行う処理（ランキング処理）である。すなわち、（Ｂ２）のみが用いられるケースにおいては、再選択要求信号の受信に応じて、全てのセルを対象としてランキング処理が行われることに留意すべきである。或いは、再選択要求信号の受信に応じて、一定品質以上の品質を有するセルを対象としてランキング処理が行われることに留意すべきである。
【０１７０】
（ルール２）
第２再選択処理に適用されるルール２では、ＵＥ１００は、再選択要求信号の受信に応じて、現在のサービングセルから報知される報知情報に含まれる測定対象周波数の品質の測定を開始する。報知情報は、例えば、Ｉｎｔｒａ−ｆｒｅｑｕｅｎｃｙの測定周波数を指定するＳＩＢ４であってもよい。報知情報は、Ｉｎｔｅｒ−Ｆｒｅｑｕｅｎｃｙの測定周波数を指定するＳＩＢ５であってもよい。
【０１７１】
ＵＥ１００は、第１選択処理において、現在のサービングセルのセル選択品質レベル（Ｓｑｕａｌ又はＳｒｘｌｅｖ）が閾値（ＳＩｎｔｒａＳｅａｒｃｈＰ又はＳＩｎｔｒａＳｅａｒｃｈＱ）よりも小さい場合に、Ｉｎｔｒａ−ｆｒｅｑｕｅｎｃｙの測定を開始する。同様に、ＵＥ１００は、現在のサービングセルのセル選択品質レベル（Ｓｑｕａｌ又はＳｒｘｌｅｖ）が閾値（ＳＩｎｔｅｒＳｅａｒｃｈＰ又はＳＩｎｔｅｒＳｅａｒｃｈＱ）よりも小さい場合に、Ｉｎｔｅｒ−ｆｒｅｑｕｅｎｃｙの測定を開始する。このような前提下において、ＵＥ１００は、閾値（ＳＩｎｔｒａＳｅａｒｃｈＰ又はＳＩｎｔｒａＳｅａｒｃｈＱ）の設定を無視して、再選択要求信号の受信に応じて、Ｉｎｔｒａ−ｆｒｅｑｕｅｎｃｙの測定を開始してもよい。ＵＥ１００は、閾値（ＳＩｎｔｅｒＳｅａｒｃｈＰ又はＳＩｎｔｅｒＳｅａｒｃｈＱ）を無視して、再選択要求信号の受信に応じて、Ｉｎｔｅｒ−ｆｒｅｑｕｅｎｃｙの測定を開始してもよい。ＵＥ１００は、セル選択品質レベル（Ｓｑｕａｌ又はＳｒｘｌｅｖ）を最小値として扱って、再選択要求信号の受信に応じて、測定対象周波数の品質の測定を開始してもよい。
【０１７２】
（ルール３）
第２再選択処理に適用されるルール３は、ランキング処理において対象セルを選択するルールである。第１処理に適用されるルールでは、最もランキングの高いセル又は現在のサービングセルよりもランキングの高いセルが対象セルとして選択される。これに対して、第２再選択処理に適用されるルール３では、以下のような処理が行われる。
【０１７３】
例えば、ＵＥ１００は、対象セルの選択において、ランダム性を有する値を用いて対象セルを選択する。例えば、ＵＥ１００は、所定品質基準（Ｓ−ｃｒｉｔｅｒｉａやＲ−ｃｒｉｔｅｒｉａ）を満たす品質を有するセルを特定し、特定されたセル（選択候補セル）の中から、ランダム性を有する値に基づいて、対象セルを選択する。このようなケースにおいて、ＵＥ１００は、ランダム性を有する値に基づいて、選択候補セルのランキングを補正する。なお、ランダム性を有する値は、例えば、ＵＥ−ＩＤ、乱数、ＡＣである。
【０１７４】
ＵＥ１００は、最もランキングの高くないセルを対象セルとして選択してもよい。ＵＥ１００は、現在のサービングセルよりもランキングの高くないセルを対象セルとして選択してもよい。
【０１７５】
ＵＥ１００は、ランキング処理において、ＲＳＲＰ以外の品質（ＲＳＲＱ又はＳＩＮＲなど）に基づいて、現在のサービングセル又は隣接セルのランキングを決定してもよい。このようなルールは、上述した“Ｒ−ｃｒｉｔｅｒｉａ”の拡張と考えてもよい。
【０１７６】
（ルール４）
第２再選択処理に適用されるルール４では、ＵＥ１００は、対象セルの再選択に関する時間閾値を用いない。具体的には、時間閾値は、隣接セルのセル選択品質レベル（Ｓｑｕａｌ又はＳｒｘｌｅｖ）が所定条件を継続して満たす時間と比較される所定期間（ＴｒｅｓｅｌｅｃｔｉｏｎＲＡＴ）、現在のサービングセルに在圏してから経過した時間と比較される禁止時間閾値（例えば、１秒）である。すなわち、第２再選択処理において、ＵＥ１００は、所定期間（ＴｒｅｓｅｌｅｃｔｉｏｎＲＡＴ）又は禁止時間閾値（例えば、１秒）をゼロとして扱う。或いは、ＵＥ１００は、所定期間（ＴｒｅｓｅｌｅｃｔｉｏｎＲＡＴ）又は禁止時間閾値（例えば、１秒）を無視する。
【０１７７】
（ルール５）
第２再選択処理に適用されるルール５では、第２再選択処理が適用される期間が一定期間に亘って継続する。
【０１７８】
例えば、第２再選択処理によって第１セルが対象セルとして選択された後に、第２再選択処理によって第２セルが対象セルとして選択されるまで、第２再選択処理が適用される。
【０１７９】
タイマが起動中である期間において、第２再選択処理が適用される。タイマは、再選択要求信号の受信によって起動されてもよい。タイマは、第２再選択処理における対象セルの選択によって起動されてもよい。タイマの起動時間は、現在のサービングセルから報知されてもよく、再選択要求信号に含まれていてもよい。
【０１８０】
第２再選択処理を解除するメッセージ（例えば、Ｒｅｓｅｌｅｃｔｉｏｎ  Ｒｅｑｕｅｓｔ  Ｃａｎｃｅｌ）を受信するまで、第２再選択処理が適用されてもよい。
【０１８１】
［変更例１０］
実施形態の変更例１０について説明する。実施形態に対する相違点について主として説明する。
【０１８２】
実施形態では、セルの再選択処理において、測定対象又は選択対象の周波数（以下、測定対象周波数）について特に触れていない。測定対象周波数は、一般的には、現在のサービングセルから報知される報知情報に含まれる。報知情報は、例えば、Ｉｎｔｒａ−ｆｒｅｑｕｅｎｃｙの測定周波数を指定するＳＩＢ４であってもよい。報知情報は、Ｉｎｔｅｒ−Ｆｒｅｑｕｅｎｃｙの測定周波数を指定するＳＩＢ５であってもよい。これに対して、変更例１０では、ＲＲＣアイドル状態のＵＥ１００を各セルに適切に配分するための処理（以下、ＵＥ分配処理）において、測定対象周波数を絞り込む方法について説明する。測定対象周波数の絞り込み方法は、例えば、以下に示す通りである。
【０１８３】
（第１方法）
第１方法では、測定対象周波数は、現在のサービングセルの周波数の優先度（ｃｅｌｌＲｅｓｅｌｅｃｔｉｏｎＰｒｉｏｒｉｔｙ）と同じ優先度を有する周波数に絞り込まれる。
【０１８４】
（第２方法）
第２方法では、周波数の優先度として、既存優先度（第１優先度）に加えて、拡張優先度（第２優先度）が導入される。測定対象周波数は、現在のサービングセルの周波数の既存優先度と同じ既存優先度を有しており、かつ、現在のサービングセルの周波数の拡張優先度と同じ拡張優先度を有する周波数に絞り込まれる。
【０１８５】
（第３方法）
第３方法では、第２方法と同様に、周波数の優先度として、既存優先度（第１優先度）に加えて、拡張優先度（第２優先度）が導入される。測定対象周波数は、既存優先度に依存せずに、拡張優先度が設定されている周波数に絞り込まれる。
【０１８６】
（第４方法）
第４方法では、第２方法と同様に、周波数の優先度として、既存優先度（第１優先度）に加えて、拡張優先度（第２優先度）が導入される。測定対象周波数は、既存優先度に依存せずに、現在のサービングセルの周波数の拡張優先度と同じ拡張優先度を有する周波数に絞り込まれる。
【０１８７】
（第５方法）
第５方法では、第１方法〜第４方法によって絞り込まれた周波数の優先度よりも高い優先度を有する周波数が検出された場合には、上述した選択条件（Ｂ１）〜（Ｂ３）のいずれかが満たされた場合に対象セルを選択する処理（すなわち、変更例９で説明した第１再選択処理）が適用されてもよい。
【０１８８】
変更例１０では、ＵＥ分配処理において測定対象周波数を絞り込む方法について説明した。ＵＥ分配処理とは、実施形態〜変更例９に示す方法のうち、いずれの方法であってもよい。例えば、ＵＥ分配処理は、変更例１、３、８で説明したように、ランダム性を有する値を用いて対象セルを選択する処理であってもよい。ＵＥ分配処理は、変更例２で説明したように、グループ毎に異なる再配分パラメータを用いて対象セルを選択する処理であってもよい。ＵＥ分配処理は、変更例４、５、７、９で説明したように、トリガー通知（例えば、再選択要求信号）に応じて対象セルを選択する処理であってもよい。
【０１８９】
［変更例１１］
実施形態の変更例１１について説明する。変更例５に対する相違点について主として説明する。
【０１９０】
変更例５では、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。
【０１９１】
これに対して、変更例１１では、ＵＥ１００（制御部）は、再選択要求信号を受信し、かつ、所定トリガー条件が満たされる場合に、対象セルの再選択を行ってもよい。すなわち、ＵＥ１００（制御部）は、再選択要求信号を受信した場合であっても、所定トリガー条件が満たされない場合に、対象セルの再選択を行わなくてもよい。
【０１９２】
変更例１１において、所定トリガー条件は、現在のサービングセルの周波数の優先度（ｃｅｌｌＲｅｓｅｌｅｃｔｉｏｎＰｒｉｏｒｉｔｙ）が高優先度（Ｈｉｇｈ  Ｐｒｉｏｒｉｔｙ）ではないという条件である。
【０１９３】
例えば、現在のサービングセルがＣＳＧ（Ｃｌｏｓｅｄ  Ｓｕｂｓｃｒｉｂｅｒ  Ｇｒｏｕｐ）セルである場合には、ＣＳＧセルの周波数の優先度が高優先度に設定される。このようなケースにおいて、所定トリガー条件は、現在のサービングセルがＣＳＧセルではないことである。従って、ＵＥ１００は、再選択要求信号を受信し、かつ、現在のサービングセルがＣＳＧセルでない場合に、対象セルの再選択を行う。一方で、ＵＥ１００は、再選択要求信号を受信した場合であっても、現在のサービングセルがＣＳＧセルである場合に、対象セルの再選択を行わない。但し、現在のサービングセルの隣接セルにＣＳＧセルが含まれる場合には、ＵＥ１００は、現在のサービングセルがＣＳＧセルであっても、対象セルの再選択を行ってもよい。
【０１９４】
現在のサービングセルの周波数においてＤ２Ｄ近傍サービス（Ｄ２Ｄ  ＰｒｏＳｅ）が設定されている場合には、現在のサービングセルの優先度が高優先度に設定される。このようなケースにおいて、所定トリガー条件は、現在のサービングセルの周波数においてＤ２Ｄ近傍サービスが設定されていないこと、或いは、現在のサービングセルに在圏していなくてもＤ２Ｄ近傍サービスが設定可能であることである。従って、ＵＥ１００は、現在のサービングセルの周波数においてＤ２Ｄ近傍サービスが設定されていないケース、或いは、現在のサービングセルに在圏していなくてもＤ２Ｄ近傍サービスが設定可能であるケースにおいて、再選択要求信号を受信した場合に、対象セルの再選択を行う。一方で、ＵＥ１００は、再選択要求信号を受信した場合であっても、現在のサービングセルの周波数においてＤ２Ｄ近傍サービスが設定されており、かつ、現在のサービングセルに在圏していないとＤ２Ｄ近傍サービスが設定できない場合に、対象セルの再選択を行わない。Ｄ２Ｄ近傍サービスが設定可能であるか否かは、ネットワーク（ｅＮＢ２００など）の設定だけではなくて、ＵＥ１００の能力（Ｃａｐａｂｉｌｉｔｙ）によっても影響される。
【０１９５】
現在のサービングセルの周波数で提供されるＭＢＭＳサービスにＵＥ１００が興味を有する場合には、現在のサービングセルの優先度が高優先度に設定される。このようなケースにおいて、所定トリガー条件は、現在のサービングセルの周波数で提供されるＭＢＭＳサービスにＵＥ１００が興味を有していないこと、或いは、現在のサービングセルの隣接セルの周波数でＵＥ１００が興味を有するＭＢＭＳサービスが提供されていることである。従って、ＵＥ１００は、現在のサービングセルの周波数で提供されるＭＢＭＳサービスにＵＥ１００が興味を有していないケース、或いは、現在のサービングセルの隣接セルの周波数でＵＥ１００が興味を有するＭＢＭＳサービスが提供されているケースにおいて、再選択要求信号を受信した場合に、対象セルの再選択を行う。一方で、ＵＥ１００は、再選択要求信号を受信した場合であっても、現在のサービングセルの周波数で提供されるＭＢＭＳサービスにＵＥ１００が興味を有しており、かつ、現在のサービングセルの隣接セルの周波数でＵＥ１００が興味を有するＭＢＭＳサービスが提供されていない場合に、対象セルの再選択を行わない。
【０１９６】
［変更例１２］
実施形態の変更例１２について説明する。変更例５に対する相違点について主として説明する。
【０１９７】
変更例５では、再配分パラメータが、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更するように指定するパラメータであるケースを例示した。これに対して、変更例１２では、最低の優先度（ｌｏｗｅｓｔ  ｐｒｉｏｒｉｔｙ）の定義について明確にする。
【０１９８】
具体的には、最低の優先度とは、ネットワーク（ｅＮＢ２００）側で設定可能な優先度のうち、最も低い優先度よりも低い優先度であってもよい。
【０１９９】
最低の優先度は、現在のサービングセルの隣接セルから報知される報知情報（ＳＩＢ５等）に含まれており、ＵＥ１００によって受信される報知情報に含まれる優先度（ｃｅｌｌＲｅｓｅｌｅｃｔｉｏｎＰｒｉｏｒｉｔｙ）のうち、最も低い優先度よりも低い優先度であってもよい。すなわち、最低の優先度は、隣接セルの優先度のうち、最も低い優先度よりも低い優先度であってもよい。
【０２００】
ＵＥ１００は、変更例５で既に記載したように、現在のサービングセルから報知される報知情報（ＳＩＢ３）に含まれる優先度（ｃｅｌｌＲｅｓｅｌｅｃｔｉｏｎＰｒｉｏｒｉｔｙ）を最低の優先度に読み替えてもよい。
【０２０１】
優先度（ｃｅｌｌＲｅｓｅｌｅｃｔｉｏｎＰｒｉｏｒｉｔｙ）が取り得る範囲が０〜７の範囲であり、大きな値が高い優先度を表している場合において、最低の優先度はマイナスの値であってもよい。
【０２０２】
再選択要求信号は、現在のサービングセルの周波数の優先度（ｃｅｌｌＲｅｓｅｌｅｃｔｉｏｎＰｒｉｏｒｉｔｙ）を最低の優先度に読み替えるか否かを示す識別子を含んでもよい。例えば、ＭＢＭＳサービスを現在のサービングセルが提供している場合に、現在のサービングセルは、現在のサービングセルの周波数の優先度を最低の優先度に読み替える旨を示す識別子を含む再選択要求信号を送信する。ＭＢＭＳサービスを現在のサービングセルが提供していない場合に、現在のサービングセルは、現在のサービングセルの周波数の優先度を最低の優先度に読み替えない旨を示す識別子を含む再選択要求信号を送信する。
【０２０３】
［変更例１３］
実施形態の変更例１３について説明する。変更例５に対する相違点について主として説明する。
【０２０４】
変更例５では、ＵＥ１００（受信部）は、対象セルの再選択を要求する再選択要求信号を現在のサービングセルから受信する。ＵＥ１００（制御部）は、再選択要求信号の受信に応じて、対象セルの再選択を行う。
【０２０５】
これに対して、変更例１３では、ＵＥ１００（制御部）は、再選択要求信号の受信に応じて対象セルの再選択（以下、ワンショット再選択）を行った後において、対象セルの再選択（以下、ポスト再選択）をさらに行ってもよい。ＵＥ１００は、変更例５，１２に記載したように、ワンショット再選択において、現在のサービングセル（又は、現在のサービングセルの周波数）の優先度を最低の優先度に読み替えた上で、最低の優先度よりも高い優先度を有する隣接セル（又は、周波数の隣接セル）を対象セルとして選択する。
【０２０６】
ワンショット再選択において、最低の優先度よりも高い優先度を有する隣接セル（又は、周波数の隣接セル）が２以上見つかるケースが想定される。このようなケースにおいて、ＵＥ１００は、ワンショット再選択に続けてポスト再選択を行うことによって、最適なセルを対象セルとして選択し直すことができる。
【０２０７】
ＵＥ１００は、隣接セル（又は、隣接セルの周波数）の優先度が現在のサービングセルの優先度と同じである場合にのみ、ポスト再選択を行ってもよい。すなわち、ＵＥ１００は、ワンショット再選択で対象セルとして選択されたセル（又は、セルの周波数）の優先度と同じ優先度を有する隣接セル（又は、周波数の隣接セル）が存在する場合に、ポスト再選択を行ってもよい。ＵＥ１００は、ワンショット再選択において、同じ優先度を有する２以上の隣接セルが対象セルとして見つかった場合に、ポスト再選択を行ってもよい。ＵＥ１００は、ワンショット再選択で対象セルとして選択されたセル（又は、セルの周波数）の優先度と同じ優先度を有する隣接セル（又は、周波数の隣接セル）が存在しない場合に、ポスト再選択を省略してもよい。ＵＥ１００は、ワンショット再選択において、同じ優先度を有する２以上の隣接セルが対象セルとして見つからなかった場合に、ポスト再選択を行ってもよい。ポスト選択処理は、同じ優先度を有する隣接セル（又は、隣接セルの周波数）の測定の実施によって開始してもよい。
【０２０８】
これらの表現を言い換えると、実施形態の（Ａ２）で説明した処理、すなわち、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回った場合に、現在のサービングセルの周波数の優先度と等しい優先度又は低い優先度を有する周波数の測定を開始するという処理は、以下のように修正される。具体的には、ＵＥ１００は、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回っており、又は、現在のサービングセルがワンショット再選択で選択されたセルである場合に、現在のサービングセルの周波数の優先度と等しい優先度又は低い優先度を有する周波数の測定を開始する。ＵＥ１００は、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を上回っており、かつ、現在のサービングセルがワンショット再選択で選択されたセルでない場合に、現在のサービングセルの周波数の優先度と等しい優先度又は低い優先度を有する周波数の測定を開始しなくてもよい。すなわち、このような場合に、ポスト再選択処理を省略してもよい。
【０２０９】
セル（又は、セルの周波数）の優先度は、各セルから報知される報知情報（ＳＩＢ３又はＳＩＢ５等）に含まれており、報知情報に基づいて優先度をＵＥ１００が把握してもよい。
【０２１０】
変更例１３において、ワンショット再選択後に実行されるポスト再選択は１回だけでもよい。すなわち、ワンショット再選択後において、２回以上のポスト再選択が行われなくてもよい。
【０２１１】
変更例１３において、ＵＥ１００は、ワンショット再選択の実行に応じて起動するタイマを有しており、タイマ値が閾値に達するまでの間において、ポスト再選択を行ってもよい。タイマ値と比較される閾値は、現在のサービングセルから報知される報知情報（ＳＩＢ又はページング信号）に含まれていてもよい。タイマ値と比較される閾値は、上述した再選択要求信号に含まれてもよい。タイマ値が閾値に達するまでの間に実行されるポスト再選択は１回だけであってもよい。すなわち、タイマ値が閾値に達するまでの間において、２回以上のポスト再選択が行われなくてもよい。ＵＥ１００は、ポスト再選択の実行に応じて起動するタイマを有しており、タイマ値が閾値に達するまでの間において、次のポスト再選択を実行せずに、タイマ値が閾値に達した場合に、次のポスト再選択を実行してもよい。ＵＥ１００は、タイマ値が閾値に達した場合に、次のポスト再選択が実行されると、タイマのリセット又は再起動を行ってもよい。ＵＥ１００は、タイマ値が閾値に達するまでの間であっても、上述した実施形態で説明した品質測定（例えば、（Ａ１）〜（Ａ２））及びセル再選択処理（例えば、（Ｂ１〜（Ｂ３））を実行してもよい。例えば、ＵＥ１００は、タイマ値が閾値に達するまでの間であっても、現在のサービングセルの品質（例えば、Ｓｒｘｌｅｖ及びＳｑｕａｌ）が所定閾値（ＳｎｏｎＩｎｔｒａＳｅａｒｃｈＰ及びＳｎｏｎＩｎｔｒａＳｅａｒｃｈＱ）を下回っている場合には、隣接セル（又は、隣接セルの周波数）の品質測定を実行するとともに、セル再選択処理を実行してもよい。
【０２１２】
変更例１３に係るワンショット再選択において、変更例５又は変更例１２と同様に、現在のサービングセルから報知される報知情報（ＳＩＢ３）に含まれる優先度（ｃｅｌｌＲｅｓｅｌｅｃｔｉｏｎＰｒｉｏｒｉｔｙ）が最低の優先度に読み替えられてもよい。このようなケースにおいて、ＵＥ１００は、ポスト再選択において、ワンショット再選択の要求を行ったセル（又はセルの周波数）の優先度（ｃｅｌｌＲｅｓｅｌｅｃｔｉｏｎＰｒｉｏｒｉｔｙ）を依然として最低の優先度として扱ってもよい。これによって、ネットワークの設定不備等が生じた場合であっても、ワンショット再選択を行う前のセルが対象セルとして選択されるピンポン現象が抑制される。
【０２１３】
［変更例１４］
実施形態の変更例１４について説明する。変更例５に対する相違点について主として説明する。
【０２１４】
変更例１４において、ｅＮＢ２００（セル）は、再選択要求信号の送信によってＵＥ１００に対象セルの再選択を促す処理（以下、ＵＥ配分処理）を行う場合に、Ｘ２インターフェイスを介して、ＵＥ配分処理を行う旨を含むメッセージを隣接ｅＮＢに通知してもよい。ＵＥ配分処理を行っている旨を含むメッセージを通知するタイミングは、ＵＥ配分処理を行う前であってもよく、ＵＥ配分処理を行っている途中であってもよく、ＵＥ配分処理を行った後であってもよい。ＵＥ配分処理を行っている途中とは、再選択要求信号の繰り返し送信を行う場合において、最初の再選択要求信号を送信するタイミングから最後の再選択要求信号を送信するタイミングまでの間である。このようなケースにおいて、ＵＥ配分処理を行う前とは、最初の再選択要求信号を送信するタイミングよりも前であってもよい。ＵＥ配分処理を行った後とは、最後の再選択要求信号を送信するタイミングよりも後であってもよい。
【０２１５】
ｅＮＢ２００は、Ｘ２インターフェイスを介してＵＥ配分処理を行う旨を含むメッセージを隣接ｅＮＢに通知した後において、ＵＥ配分処理が終了した場合に、Ｘ２インターフェイスを介してＵＥ配分処理が終了した旨を含むメッセージを隣接ｅＮＢに通知してもよい。
【０２１６】
第１に、ＵＥ配分処理を行う旨が通知された隣接ｅＮＢは、ＵＥ配分処理を行う旨を通知したｅＮＢ２００（セル）が対象セルとして選択されないようにする処理（以下、再選択制限処理）を行う。
【０２１７】
例えば、ＵＥ配分処理を行う旨が通知された隣接ｅＮＢは、ＵＥ配分処理を行う旨を通知したｅＮＢ２００（セル）の優先度を自局で管理するセルの優先度よりも低く設定してもよい。隣接ｅＮＢは、新たに設定されたｅＮＢ２００（セル）の優先度を報知してもよい。
【０２１８】
ＵＥ配分処理を行う旨が通知された隣接ｅＮＢは、ＵＥ配分処理を行う旨を通知したｅＮＢ２００（セル）を対象セルとして選択すべきではないリスト（以下、ブラックリスト）に追加してもよい。隣接ｅＮＢは、ｅＮＢ２００（セル）が追加されたブラックリストを報知してもよい。
【０２１９】
第２に、ＵＥ配分処理を行う旨が通知された隣接ｅＮＢは、ＵＥ配分処理を行う旨を通知したｅＮＢ２００（セル）に対するハンドオーバを制限する処理（以下、ハンドオーバ制限処理）を行う。
【０２２０】
例えば、ＵＥ配分処理を行う旨が通知された隣接ｅＮＢは、測定対象（Ｍｅａｓｕｒｅｍｅｎｔ  Ｃｏｎｆｉｇｕｒａｔｉｏｎ）からＵＥ配分処理を行う旨を通知したｅＮＢ２００（セル）を除外してもよい。
【０２２１】
ＵＥ配分処理を行う旨が通知された隣接ｅＮＢは、ＵＥ配分処理を行う旨を通知したｅＮＢ２００（セル）に対するハンドオーバ要求の送信を制限してもよい。ＵＥ配分処理を行う旨が通知された隣接ｅＮＢは、ＵＥ配分処理を行う旨を通知したｅＮＢ２００（セル）に対するＤｕａｌ  ＣｏｎｎｅｃｔｉｖｉｔｙにおけるＳｅＮＢの追加要求の送信を制限してもよい。ＵＥ配分処理を行う旨が通知された隣接ｅＮＢは、ＵＥ配分処理を行う旨を通知したｅＮＢ２００（セル）に対して、Ｄｕａｌ  ＣｏｎｎｅｃｔｉｖｉｔｙにおけるＳｅＮＢから除外するメッセージを送信してもよい。
【０２２２】
隣接ｅＮＢは、再選択制限処理又はハンドオーバ制限処理の開始に応じて起動し、タイマ値が閾値に達した場合に、再選択制限処理又はハンドオーバ制限処理を解除してもよい。タイマ値と比較される閾値は、予め設定されていてもよく、ＵＥ配分処理を行う旨を示すメッセージに含まれていてもよく、ＯＡＭ（Ｏｐｅｒａｔｉｏｎ，Ａｄｍｉｎｉｓｔｒａｔｉｏｎ  ａｎｄ  Ｍａｎａｇｅｍａｎｅｔ）サーバから通知されてもよい。隣接ｅＮＢは、ＵＥ配分処理が終了した旨が通知された場合に、再選択制限処理又はハンドオーバ制限処理を解除してもよい。
【０２２３】
［変更例１５］
実施形態の変更例１５について説明する。実施形態に対する相違点について主として説明する。
【０２２４】
実施形態では、ランダム性を有する値は、ＵＥ１００（制御部）が発生する乱数を含む。これに対して、変更例１５では、ランダム性を有する値は、ＵＥ１００（制御部）が発生する乱数を含まない。また、ＵＥ１００は、ランダム性を有する値を用いて対象セルの再選択を行うか否かを判定する。
【０２２５】
例えば、ランダム性を有する値は、ＵＥ１００に固有の値（ＵＥ−ＩＤ）である。ＵＥ１００に固有の値（ＵＥ−ＩＤ）は、現在のサービングセルによって割り当てられる識別子（ＲＮＴＩ；Ｒａｄｉｏ  Ｎｅｔｗｏｒｋ  Ｔｅｍｐｏｒａｒｙ  Ｉｄｅｎｔｉｆｉｅｒ）であってもよく、予めＵＥ１００に一意に割り当てられる識別子（ＩＭＳＩ；Ｉｎｔｅｒｎａｔｉｏｎａｌ  Ｍｏｂｉｌｅ  Ｓｕｂｓｃｒｉｂｅｒ  Ｉｄｅｎｔｉｔｙ）であってもよく、ＵＥ１００の位置登録に応じて割り当てられる識別子（Ｓ−ＴＭＳＩ；ＳＡＥ−Ｔｅｍｐｏｒａｒｙ  Ｍｏｂｉｌｅ  Ｓｕｂｓｃｒｉｂｅｒ  Ｉｄｅｎｔｉｔｙ）であってもよい。
【０２２６】
変更例１５において、ＵＥ１００は、ＵＥ１００に固有の値及び現在のサービングセルから受信する値に基づいて、対象セルの再選択を行うか否かを判定する。具体的には、現在のサービングセルから受信する値は、対象セルの再選択が行われる確率を定義する値（Ｎｐ）及びＵＥ１００間の公平性を担保するための値（Ｎｒ）を含む。Ｎｐ及びＮｒは、現在のサービングセルから報知される報知情報に含まれてもよい。ＵＥ１００間の公平性を担保するために、Ｎｒは所定周期で変更されることが好ましい。Ｎｐは、現在のサービングセルから報知される報知情報によらずに、予め定められた値であってもよい。同様に、Ｎｒは、現在のサービングセルから報知される報知情報によらずに、予め定められた値であってもよい。
【０２２７】
例えば、ＵＥ１００は、（ＵＥ−ＩＤｍｏｄＮｐ）＝Ｎｒの条件が満たされた場合に、対象セルの再選択を行ってもよい。このようなケースにおいて、ＵＥ１００は、（ＵＥ−ＩＤｍｏｄＮｐ）＝Ｎｒの条件が満たされない場合に、対象セルの再選択を行わない。上述したように、ＵＥ−ＩＤとしては、ＲＮＴＩ、ＩＭＳＩ及びＳ−ＴＭＳＩを用いることが可能である。従って、上述した式において、ＵＥ−ＩＤは、ＲＮＴＩ、ＩＭＳＩ及びＳ−ＴＭＳＩのいずれかと読み替えてもよい。
【０２２８】
ランダム性を有する値を用いて対象セルの再選択を行うか否かを判定するタイミングは、実施形態で説明した「所定タイミング」であってもよい。所定タイミングは、例えば、現在のサービングセルから受信するシステム情報（ＳＩＢ；Ｓｙｓｔｅｍ  Ｉｎｆｏｒｍａｔｉｏｎ  Ｂｌｏｃｋ）に基づいて特定される。所定タイミングは、対象セルの選択に伴って隣接セルの品質測定を開始するタイミングを意味する。
【０２２９】
実施形態で説明したように、システム情報は、隣接セルの品質測定を直ちに開始することを意味していてもよい。このようなケースにおいて、ＵＥ１００は、システム情報を受信するタイミングを所定タイミングとして特定し、システム情報の受信に応じて隣接セルの品質測定を開始する。
【０２３０】
システム情報は、隣接セルの品質測定を開始すべきサブフレーム番号を含んでもよい。ＵＥ１００は、システム情報に含まれるサブフレーム番号を所定タイミングとして特定し、特定されたサブフレーム番号で隣接セルの品質測定を開始する。
【０２３１】
システム情報は、所定タイミングの周期を示す情報を含んでもよい。例えば、システム情報は、隣接セルの品質測定、対象セルの再選択若しくは再配分処理を終了したタイミングで起動されるタイマに設定すべきタイマ値を含む。ＵＥ１００は、タイマ値がセットされたタイマが満了したタイミングを所定タイミングとして特定し、特定されたタイミングで隣接セルの品質測定を開始する。再配分処理とは、後述するＯＳＳ（Ｏｎｅ  Ｓｈｏｔ  Ｓｈｃｅｍｅ）又はＣＲＳ（Ｃｏｎｔｉｎｕｏｕｓ  Ｒｅ−Ｄｉｓｔｒｉｂｕｔｉｏｎ  Ｓｃｈｅｍｅ）などである。
【０２３２】
変更例１５においては、ＵＥ１００間の公平性を担保するための値（Ｎｒ）が現在のサービングセルから報知される報知情報に含まれるケースについて例示した。しかしながら、変更例１５はこれに限定されるものではない。例えば、所定タイミングを含むフレーム番号又はサブフレーム番号がＮｒとして用いられてもよい。例えば、システム情報が隣接セルの品質測定を直ちに開始することを意味する場合には、システム情報を受信するフレーム番号又はサブフレーム番号がＮｒとして用いられる。システム情報が隣接セルの品質測定を開始すべきサブフレーム番号を含む場合には、隣接セルの品質測定を開始すべきフレーム番号又はサブフレーム番号がＮｒとして用いられる。
【０２３３】
ＵＥ１００間の公平性を担保するための値（Ｎｒ）として、システム情報（ＳＩＢ）の内容の更新に応じてインクリメントされる値（ｓｙｓｔｅｍＩｎｆｏＶａｌｕｅＴａｇ）が用いられてもよい。ｓｙｓｔｅｍＩｎｆｏＶａｌｕｅＴａｇは、現在のサービングセルから報知される報知情報（ＳＩＢ１）に含まれる。
【０２３４】
Ｎｒ＜Ｎｐの関係が満たされるようにＮｒの値が選択されることが好ましい。ＵＥ１００は、（ＵＥ−ＩＤｍｏｄＮｐ）＝（ＮｒｍｏｄＮｐ）の条件が満たされた場合に、対象セルの再選択を行ってもよい。このようなケースにおいて、ＵＥ１００は、（ＵＥ−ＩＤｍｏｄＮｐ）＝（ＮｒｍｏｄＮｐ）の条件が満たされない場合に、対象セルの再選択を行わない。
【０２３５】
ＵＥ１００は、（ＵＥ−ＩＤｍｏｄＮｐ）＞（ＮｒｍｏｄＮｐ）、（ＵＥ−ＩＤｍｏｄＮｐ）＜（ＮｒｍｏｄＮｐ）、（ＵＥ−ＩＤｍｏｄＮｐ）＝（ＮｒｍｏｄＮｐ）の３種類の条件の中から選択された１以上の条件が満たされた場合に、対象セルの再選択を行ってもよい。３種類の条件の中から選択される１以上の条件（すなわち、上述した式の等号又は不等号）は、現在のサービングセルから報知される報知情報に含まれてもよい。
【０２３６】
ＵＥ１００間の公平性を担保するための値（Ｎｒ）として、複数のＮｒ（例えば、Ｎｒ１及びＮｒ２）が設定されてもよい。このようなケースにおいて、ＵＥ１００は、（ＵＥ−ＩＤｍｏｄＮｐ）＝（Ｎｒ１ｍｏｄＮｐ）の条件又は（ＵＥ−ＩＤｍｏｄＮｐ）＝（Ｎｒ２ｍｏｄＮｐ）の条件が満たされた場合に、対象セルの再選択を行ってもよい。
【０２３７】
対象セルの再選択が行われる確率を定義する値（Ｎｐ）として、複数のＮｐ（例えば、Ｎｐ１及びＮｐ２）が設定されてもよい。このようなケースにおいて、ＵＥ１００は、（ＵＥ−ＩＤｍｏｄＮｐ１）＝（ＮｒｍｏｄＮｐ１）の条件又は（ＵＥ−ＩＤｍｏｄＮｐ２）＝（ＮｒｍｏｄＮｐ２）の条件が満たされた場合に、対象セルの再選択を行ってもよい。
【０２３８】
［変更例１６］
実施形態の変更例１６について説明する。実施形態に対する相違点について主として説明する。
【０２３９】
変更例１６において、ＵＥ１００（受信部）は、サービングセルとして選択される対象セルを配分するための再配分パラメータを現在のサービングセルから報知されている場合に、再配分パラメータを受信する。
【０２４０】
再配分パラメータは、周波数の優先度（ｃｅｌｌＲｅｓｅｌｅｃｔｉｏｎＰｒｉｏｒｉｔｙ）、セルの優先度（ＣＳＰ；Ｃｅｌｌ  Ｓｐｅｃｉｆｉｃ  Ｐｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）の中から選択された１以上のパラメータを含む。再配分パラメータは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。
【０２４１】
このような前提下において、ＵＥ１００（制御部）は、再配分パラメータを現在のサービングセルから受信している場合に、再選択要求信号の受信に応じて、再配分パラメータを用いた第１再配分処理を行う。ＵＥ１００（制御部）は、再配分パラメータを現在のサービングセルから受信していない場合に、再選択要求信号の受信に応じて、再配分パラメータを用いない第２再配分処理を行う。再選択要求信号は、変更例７と同様に、ｅＮＢ２００（サービングセル）から報知されるページング信号に含まれてもよい。
【０２４２】
具体的には、ＵＥ１００は、第１再配分処理において、変更例５と同様の処理、すなわち、再選択要求信号の受信に応じて行われる対象セルの再選択を行う。但し、第１再配分処理では、上述したように、再配分パラメータが用いられる。
【０２４３】
ＵＥ１００は、第２再配分処理において、現在のサービングセルが対象セルとして選択されにくくする。例えば、第２再配分処理としては、以下の処理が考えられる。
【０２４４】
第１に、ＵＥ１００は、第２再配分処理において、現在のサービングセルの周波数の優先度（ｃｅｌｌＲｅｓｅｌｅｃｔｉｏｎＰｒｉｏｒｉｔｙ）を相対的に下げてもよい。例えば、ＵＥ１００は、現在のサービングセルの周波数の優先度（ｃｅｌｌＲｅｓｅｌｅｃｔｉｏｎＰｒｉｏｒｉｔｙ）を最低の優先度（ｌｏｗｅｓｔ  ｐｒｉｏｒｉｔｙ）に変更する。ＵＥ１００は、現在のサービングセル以外の周波数の優先度を上げてもよい。
【０２４５】
第２に、ＵＥ１００は、第２再配分処理において、現在のサービングセルの優先度（ＣＳＰ）を相対的に下げてもよい。例えば、ＵＥ１００は、現在のサービングセルの優先度（ＣＳＰ）を最低の優先度（ｌｏｗｅｓｔ  ｐｒｉｏｒｉｔｙ）に変更する。ＵＥ１００は、現在のサービングセル以外のセルの優先度を上げてもよい。
【０２４６】
第３に、ＵＥ１００は、第２再配分処理において、現在のサービングセルの周波数と同じ周波数を有するセルの少なくとも１つのセルについてセルの優先度（ＣＳＰ）が設定されている場合に、現在のサービングセルの優先度（ＣＳＰ）を相対的に下げてもよい。ＵＥ１００は、第２再配分処理において、現在のサービングセルの周波数と同じ周波数を有する全てのセルについて優先度（ＣＳＰ）が設定されていない場合に、現在のサービングセルの周波数の優先度（ｃｅｌｌＲｅｓｅｌｅｃｔｉｏｎＰｒｉｏｒｉｔｙ）を相対的に下げてもよい。
【０２４７】
第４に、再選択要求信号は、第２再選択処理で適用するべき優先度を指定する所定値を含んでいてもよい。このようなケースにおいて、ＵＥ１００は、所定値が第１値（例えば、０）である場合に、第２再配分処理において、現在のサービングセルの周波数の優先度を相対的に下げ、所定値が第２値（例えば、１）である場合に、第２再配分処理において、現在のサービングセルの優先度（ＣＳＰ）を相対的に下げてもよい。
【０２４８】
［変更例１７］
実施形態の変更例１７について説明する。実施形態に対する相違点について主として説明する。
【０２４９】
変更例１７において、ＵＥ１００（受信部）は、再選択要求信号の受信に応じて対象セルの再選択を行う再配分処理（ＯＳＳ（Ｏｎｅ  Ｓｈｏｔ  Ｓｈｃｅｍｅ））を適用するか否かを指示するインディケータ（ＯＳＳ  ａｐｐｌｉｃａｂｌｅ）を現在のサービングセルから受信する。インディケータは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。
【０２５０】
このような前提下において、ＵＥ１００（制御部）は、再配分処理（ＯＳＳ）の適用を指示するインディケータを受信しており、かつ、再配分パラメータを現在のサービングセルから受信していない場合に、再選択要求信号の受信に応じて、第２再配分処理を行ってもよい。ＵＥ１００（制御部）は、再配分処理（ＯＳＳ）の非適用を指示するインディケータを受信しており、かつ、再配分パラメータを現在のサービングセルから受信していない場合に、再選択要求信号の受信に応じて、第２再配分処理を行ってもよい。
【０２５１】
ＵＥ１００は、再配分処理（ＯＳＳ）の非適用を指示するインディケータを受信しており、かつ、再配分パラメータを現在のサービングセルから受信している場合には、再選択要求信号に依存しないトリガーに応じて、再配分パラメータを用いて対象セルの再選択を行う（ＣＲＳ；Ｃｏｎｔｉｎｕｏｕｓ  Ｒｅ−Ｄｉｓｔｒｉｂｕｔｉｏｎ  Ｓｃｈｅｍｅ）。再選択要求信号に依存しないトリガーとは、例えば、タイマの満了などのトリガーである。タイマにセットされる値は、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。
【０２５２】
［変更例１８］
実施形態の変更例１８について説明する。実施形態に対する相違点について主として説明する。
【０２５３】
変更例１８において、ＵＥ１００（受信部）は、再配分パラメータが報知されているか否かを示す報知存在インディケータを受信する。報知存在インディケータは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれる。報知存在インディケータは、再配分パラメータを含むシステム情報（例えば、ＳＩＢ３）を受信する前に取得すべきシステム情報（例えば、ＭＩＢ又はＳＩＢ１）に含まれることが好ましい。報知存在インディケータは、再選択要求信号を含むページング信号に含まれてもよい。
【０２５４】
ＵＥ１００（受信部）は、再配分パラメータの再取得が必要であるか否かを示す再取得インディケータを受信する。ＵＥ１００は、再配分パラメータの再取得が必要である旨を再取得インディケータが示す場合に、再配分パラメータを再取得する。再取得インディケータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。
【０２５５】
このようなケースにおいて、ＵＥ１００（制御部）は、再配分パラメータの再取得が必要である旨を再取得インディケータが示す場合に、再取得後の再配分パラメータを用いて、第１再配分処理を行う。すなわち、ＵＥ１００は、再選択要求信号を受信しても、再配分パラメータが再取得されるまで、第１再配分処理をペンディングし、再配分パラメータが再取得されてから第１再配分処理を行う。ＵＥ１００（制御部）は、再配分パラメータの再取得が必要でない旨を再取得インディケータが示す場合に、再取得前の再配分パラメータを用いて、第１再配分処理を行う。すなわち、ＵＥ１００は、再選択要求信号を受信した場合に、再配分パラメータの再取得を待たずに、第１再配分処理を行う。
【０２５６】
変更例１８において、報知存在インディケータは、次のシステム変更期間（ＳＩ  Ｍｏｄｉｆｉｃａｔｉｏｎ  Ｐｅｒｉｏｄ）において、再配分パラメータが報知されるか否かを示す情報であってもよい。再取得インディケータは、次のシステム変更期間（ＳＩ  Ｍｏｄｉｆｉｃａｔｉｏｎ  Ｐｅｒｉｏｄ）において、再配分パラメータが変更されるか否かを示す情報であってもよい。このような構成によれば、報知存在インディケータ及び再取得インディケータを特定のＵＥ１００のみに通知することができる。
【０２５７】
さらに、一つの周波数に対して、周波数の優先度に係る再配分パラメータ及びセルの優先度に係る再配分パラメータの双方が現在のサービングセルから報知されているケースにおいて、どの再配分パラメータを適用すべきかを示す適用パラメータインディケータが現在のサービングセルから報知されてもよい。例えば、適用パラメータインディケータは、周波数の優先度に係る再配分パラメータを適用するか、セルの優先度に係る再配分パラメータを適用するか、周波数の優先度及びセルの優先度の双方に係る再配分パラメータを適用するかを示す。適用パラメータインディケータは、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。適用パラメータインディケータを受信するＵＥ１００は、適用パラメータインディケータに基づいて、再配分処理で用いる再配分パラメータを決定する。
【０２５８】
［変更例１９］
実施形態の変更例１９について説明する。実施形態に対する相違点について主として説明する。
【０２５９】
変更例１９において、ＵＥ１００（制御部）は、変更例１５と同様に、ＵＥ１００に固有の値に基づいて対象セルの再選択を行う。詳細には、ＵＥ１００は、ＵＥ１００に固有の値に加えて、周波数又はセル毎に異なる値を用いて、第１再配分処理又は第２再配分処理を行う。
【０２６０】
例えば、ＵＥ１００は、以下の式に従って、第１再配分処理又は第２再配分処理を行う。
【０２６１】
【数１】
2017126622.tif 000003
【０２６２】
ｒｅｄｉｓｔｒＲａｎｇｅ［ｉ］は、ｉ番目の候補周波数のセルが対象セルとして選択される確率を規定する値であり、０以上１以下の値である。ｒｅｄｉｓｔｒＲａｎｇｅ［０］は、現在のサービングセルの周波数のセルが対象セルとして選択される確率を規定する値であり、０以上１以下の値である。ＵＥ＿ＩＤは、ＵＥに固有の値であり、ｏｆｆｓｅｔは、周波数又はセル毎に異なる値であり、０以上１００以下の値である。
【０２６３】
このようなケースにおいて、ｏｆｆｓｅｔを用いない場合には、「（ＵＥ＿ＩＤｍｏｄ１００）≦１００×ｒｅｄｅｉｔｒＲａｎｇｅ［０］」を満たす特定のＵＥ１００は、現在のサービングセルから他の周波数のセルに移動せずに、サービングセルに常に在圏し続けてしまう。すなわち、現在のサービングセルから移動しなくてもよい特定のＵＥ１００が固定されてしまう。このような事態を許容すると、特定のＵＥ１００と他のＵＥ１００との間で不公平が生じてしまう。これに対して、変更例１９では、ｏｆｆｓｅｔの導入によって、ＵＥ１００間の不公平を解消することができる。
【０２６４】
ｏｆｆｓｅｔを用いない場合には、「（ＵＥ＿ＩＤｍｏｄ１００）≦１００×ｒｅｄｅｉｔｒＲａｎｇｅ［０］」を満たす特定のＵＥ１００の初期分布によって、各セルに対するＵＥ１００の再配分の効果が影響される。これに対して、これに対して、変更例１９では、ｏｆｆｓｅｔの導入によって、「｛（ＵＥ＿ＩＤ＋ｏｆｆｓｅｔ）ｍｏｄ１００｝≦１００×ｒｅｄｅｉｔｒＲａｎｇｅ［０］」を満たす特定のＵＥ１００を特定の周波数に意図的に誘導することができる。各セルに在圏するＵＥ１００のＵＥ＿ＩＤのランダム性を考慮すると、「（ＵＥ＿ＩＤｍｏｄ１００）≦１００×ｒｅｄｅｉｔｒＲａｎｇｅ［０］」を満たす特定のＵＥ１００の初期分布によって各セルに対するＵＥ１００の再配分の効果が影響されるケースよりも、各セルに対してＵＥ１００を効果的に再配分することができる。
【０２６５】
変更例１９において、ｏｆｆｓｅｔは、例えば、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。ｏｆｆｓｅｔは、ＵＥ１００に個別に送信されるＲＲＣメッセージに含まれてもよい。
【０２６６】
変更例１９において、ｏｆｆｓｅｔは、周波数又はセル毎に異なる値及び他のパラメータに基づいて算出されてもよい。他のパラメータとしては、再選択要求信号をＵＥ１００が受信したタイミングを含む時間情報（ＳＦＮ又はＵＴＣ）を用いることができる。ｏｆｆｓｅｔは、周波数又はセル毎に異なる値であればよく、ＯＡＭによって設定された値であってもよい。
【０２６７】
変更例１９では、式（２）が適用された後に、式（３）が適用されるケースを想定しており、ｉ番目の候補周波数のセルに移動するＵＥ１００を選択するために、｛（ＵＥ＿ＩＤ＋ｏｆｆｓｅｔ）ｍｏｄ１００｝が式（３）に代入される順番は任意である。しかしながら、変更例１９はこれに限定されるものではない。
【０２６８】
具体的には、ｒｅｄｅｉｔｒＲａｎｇｅ［０］〜ｒｅｄｅｉｔｒＲａｎｇｅ［ｊ］に割り当てられる周波数が定められているケースにおいて、｛（ＵＥ＿ＩＤ＋ｏｆｆｓｅｔ）ｍｏｄ１００｝が式（２）又は式（３）に代入される順序が指定されていてもよい。或いは、０〜ｊの順序で｛（ＵＥ＿ＩＤ＋ｏｆｆｓｅｔ）ｍｏｄ１００｝が式（２）又は式（３）に代入されるケースにおいて、ｒｅｄｅｉｔｒＲａｎｇｅ［０］〜ｒｅｄｅｉｔｒＲａｎｇｅ［ｊ］に割り当てられる周波数が指定されていてもよい。このような順序指定或いは周波数指定によって、特定の周波数のセルをサービングセルとしてＵＥ１００が用いるように、再配分処理を意図的に制御することができる。上述した順序指定或いは周波数指定を含む情報は、現在のサービングセルから報知されるシステム情報（ＳＩＢ；Ｓｙｓｔｅｍ  Ｉｎｆｏｒｍａｔｉｏｎ  Ｂｌｏｃｋ）に含まれてもよく、再選択要求信号を含むページング信号に含まれてもよい。順序指定或いは周波数指定が存在しない場合には、存在しない順序又は周波数に対応するｒｅｄｅｉｔｒＲａｎｇｅの式（２）又は式（３）に｛（ＵＥ＿ＩＤ＋ｏｆｆｓｅｔ）ｍｏｄ１００｝を代入する処理は省略されてもよい。
【０２６９】
［変更例２０］
実施形態の変更例２０について説明する。変更例５に対する相違点について主として説明する。
【０２７０】
変更例２０の適用シーンは、図１０に示す通りである。図１０に示すように、移動通信システムは、エリア＃１及びエリア＃２を有する。エリア＃１には、周波数Ｆ１のセル＃１−１及び周波数Ｆ１のセル＃１−２が設けられる。エリア＃２には、周波数Ｆ１のセル＃２−１、周波数Ｆ１のセル＃２−２及び周波数Ｆ１のセル＃２−３が設けられる。周波数Ｆ１のセル（＃１−１及び２−１）は高負荷のセルであり、周波数Ｆ２のセル（＃１−２及び２−２）は低負荷のセルである。周波数Ｆ３のセル（＃２−３）は、中負荷のセルであり、周波数Ｆ１及びＦ２のセルよりも高い優先度を有する。例えば、周波数Ｆ１及びＦ２のセルはマクロセルであり、周波数Ｆ３のセルはＣＳＧセルであってもよい。
【０２７１】
変更例２０では、ＵＥ１００（制御部）は、変更例５と同様に、再選択要求信号の受信に応じて、ターゲット周波数のセルへの対象セルの再選択を行うとともに所定タイマ（Ｔ３６０）を起動する。ＵＥ１００（制御部）は、は、所定タイマの起動中においてターゲット周波数のセルを対象セルとして用いる。例えば、図１０に示すケースでは、第１エリアにおいて周波数Ｆ１のセル＃１−１から再選択要求信号を受信すると、周波数Ｆ１のセル＃１−１から周波数Ｆ２のセル＃１−２への対象セルの再選択が行われる（図１０に示す動作Ａ）。このような動作Ａの後に、ＵＥ１００がエリア＃１からエリア＃２に移動するケースを想定する（図１０に示す動作Ｂ）。
【０２７２】
このようなケースにおいて、変更例２０では、ＵＥ１００（制御部）は、ＵＥ１００の移動速度に基づいて所定タイマ（Ｔ３６０）の満了時間を変更する。具体的には、ＵＥ１００（制御部）は、ＵＥ１００の移動速度が速いほど、所定タイマの満了時間として短い満了時間をセットする。例えば、ＵＥ１００（制御部）は、所定タイマのカウント時間が所定時間閾値（Ｔ−ｒｅｄｉｓｔｒｉｂｕｔｉｏｎ）に達した場合に、所定タイマが満了したと判定する。従って、所定時間閾値（Ｔ−ｒｅｄｉｓｔｒｉｂｕｔｉｏｎ）は、所定タイマの満了時間を定義する値である。所定タイマの満了時間の変更方法は、例えば、以下に示す通りである。
【０２７３】
（１）ＵＥ１００（制御部）は、所定タイマの満了時間を定義する所定時間閾値（Ｔ−ｒｅｄｉｓｔｒｉｂｕｔｉｏｎ）に対してＵＥ１００の移動速度に基づいた係数（Ｓｃａｌｉｎｇ  Ｆａｃｔｏｒ）を乗算した値を用いて、タイマの満了を判定してもよい。係数は、移動速度に基づいて定められた値であり、例えば、０以上１以下の値である。移動速度が速いほど、係数の値が小さい。
【０２７４】
例えば、所定移動速度よりも遅い移動速度を低速移動速度とし、所定移動速度よりも速い移動速度を高速移動速度とするケースについて考える。低速移動速度に対応する係数が１である場合に、高速移動速度に対応する係数は、例えば、０．２５である。従って、ＵＥ１００の移動速度が低速移動速度である場合には、所定タイマのカウント時間が所定時間閾値（Ｔ−ｒｅｄｉｓｔｒｉｂｕｔｉｏｎ）に係数（１）を乗算した値に達した場合に、所定タイマが満了したと判定される。ＵＥ１００の移動速度が高速移動速度である場合には、所定タイマのカウント時間が所定時間閾値（Ｔ−ｒｅｄｉｓｔｒｉｂｕｔｉｏｎ）に係数（０．２５）を乗算した値に達した場合に、所定タイマが満了したと判定される。
【０２７５】
ＵＥ１００は、ＵＥ１００の移動速度が所定閾値を超えている場合に、所定タイマ（Ｔ３６０）のカウント時間を無視してもよい。ＵＥ１００は、ＵＥ１００の移動速度が所定閾値を超えている場合に、所定タイマを満了させてもよい。ＵＥ１００は、ＵＥ１００の移動速度が所定閾値を超えている場合に、所定時間閾値（Ｔ−ｒｅｄｉｓｔｒｉｂｕｔｉｏｎ）よりも短い時間閾値を所定タイマにセットしてもよい。これらのケースにおいて、後述する変更例２３と同様に、ＵＥ１００は、所定タイマを無視した後において、或いは、所定タイマを満了させた後において、以下に示す処理を行ってもよい。具体的には、ＵＥ１００は、再配分パラメータに基づいてターゲット周波数のセルへの対象セルの再選択を行ってもよい。ＵＥ１００は、ページング信号に含まれる再選択要求信号（変更例７を参照）のみによって対象セルの再選択を行うことを指示する情報要素がシステム情報に含まれている場合に、システム情報によって報知されている絶対優先度に基づいて、対象セルの再選択を行ってもよい。
【０２７６】
（２）ＵＥ１００（受信部）は、所定タイマの満了時間を定義する複数の所定時間閾値を受信する。ＵＥ１００（制御部）は、複数の所定時間閾値の中から、ＵＥ１００の移動速度に基づいて選択された所定時間閾値を用いて、タイマの満了を判定する。移動速度が速いほど、所定時間閾値が短い。
【０２７７】
例えば、所定移動速度よりも遅い移動速度を低速移動速度とし、所定移動速度よりも速い移動速度を高速移動速度とするケースについて考える。高速移動速度に対応する所定時間閾値（Ｔ−ｒｅｄｉｓｔｒｉｂｕｔｉｏｎ＿２）は、低速移動速度に対応する所定時間閾値（Ｔ−ｒｅｄｉｓｔｒｉｂｕｔｉｏｎ＿１）よりも短い。複数の所定時間閾値は、ターゲット周波数Ｆ２のセル（＃１−２及び＃２−２）の優先度よりも高い優先度を有する高優先セル（＃２−３）を有するｅＮＢ２００から報知されるシステム情報（ＳＩＢ）に含まれてもよい。
【０２７８】
（３）ＵＥ１００（制御部）は、（１）及び（２）の組合せに基づいて、タイマの満了を判定してもよい。すなわち、ＵＥ１００（制御部）は、ＵＥ１００の移動速度に基づいて選択された所定時間閾値に係数を乗算した値を用いて、タイマの満了を判定してもよい。
【０２７９】
上述した手順（１）〜（３）のいずれかにおいて、ＵＥ１００（制御部）は、所定タイマの起動後においてＵＥ１００の移動速度が変化した場合に、所定タイマの満了時間を変更してもよい。ＵＥ１００は、変化後の移動速度に基づいて所定タイマの満了時間を変更することは勿論である。
【０２８０】
このようなケースにおいて、ＵＥ１００（制御部）は、所定タイマを起動した際に参照されたＵＥ１００の移動速度よりもＵＥ１００の移動速度が速くなった場合に、所定タイマの満了時間を変更してもよい。ＵＥ１００（制御部）は、所定タイマを起動した際に参照されたＵＥ１００の移動速度よりもＵＥ１００の移動速度が遅くなった場合には、所定タイマの満了時間を変更しなくてもよい。
【０２８１】
ＵＥ１００（制御部）は、所定タイマの起動中に所定タイマの満了時間を変更してもよい。ＵＥ１００（制御部）は、所定タイマの満了後に所定タイマの満了時間を変更してもおよい。
【０２８２】
変更例２０によれば、所定タイマの起動中において、ＵＥ１００が再選択要求信号を受信した際にＵＥ１００が位置していたエリア＃１から、ターゲット周波数Ｆ２のセル（＃１−２及び＃２−２）よりも高い優先度を有する高優先度セル（＃２−３）が設けられたエリア＃２にＵＥ１００が移動する可能性が高い場合において、所定タイマが満了するまで高優先度セルが対象セルとして選択されない事態を抑制することができる。所定タイマの起動中においてエリア＃１からエリア＃２にＵＥ１００が移動する可能性が低い場合において、ソース周波数とターゲット周波数との間におけるピンポン現象を抑制することができる。
【０２８３】
［変更例２１］
実施形態の変更例２１について説明する。変更例２０に対する相違点について主として説明する。変更例２１の適用シーンは、変更例２０と同様である。
【０２８４】
変更例２０では、ＵＥ１００（制御部）は、ＵＥ１００の移動速度に基づいて所定タイマ（Ｔ３６０）の満了時間を変更する。これに対して、変更例２１では、ＵＥ１００（制御部）は、所定タイマの停止を要求する停止要求信号を受信した場合に、所定タイマを停止する。停止要求信号は、ターゲット周波数Ｆ２のセル（＃１−２及び＃２−２）の優先度よりも高い優先度を有する高優先セル（＃２−３）を有するｅＮＢ２００から報知されてもよい。すなわち、停止要求信号は、エリア＃１に設けられたセルを有するｅＮＢ２００から報知されなくてもよい。停止要求信号は、エリア＃２に設けられたセルを有するｅＮＢ２００から報知されるシステム情報（ＳＩＢ）に含まれてもよい。
【０２８５】
ＵＥ１００（制御部）は、ＵＥ１００の移動速度が所定速度よりも速く、かつ、停止要求信号を受信した場合に、所定タイマを停止してもよい。すなわち、ＵＥ１００は、停止要求信号を受信した場合であっても、ＵＥ１００の移動速度が所定速度よりも遅い場合には、所定タイマを停止しなくてもよい。ＵＥ１００（制御部）は、ＵＥ１００の移動速度によらずに、停止要求信号を受信した場合に、所定タイマを停止してもよい。
【０２８６】
変更例２１によれば、変更例２０と同様に、所定タイマの起動中においてエリア＃１からエリア＃２にＵＥ１００が移動する可能性が高い場合において、所定タイマが満了するまで高優先度セルが対象セルとして選択されない事態を抑制することができる。所定タイマの起動中においてエリア＃１からエリア＃２にＵＥ１００が移動する可能性が低い場合において、ソース周波数とターゲット周波数との間におけるピンポン現象を抑制することができる。
【０２８７】
［変更例２２］
実施形態の変更例２２について説明する。変更例２０に対する相違点について主として説明する。変更例２２の適用シーンは、変更例２０と同様である。
【０２８８】
変更例２０では、ＵＥ１００（制御部）は、ＵＥ１００の移動速度に基づいて所定タイマ（Ｔ３６０）の満了時間を変更する。これに対して、変更例２２では、ＵＥ１００（制御部）は、所定タイマの起動中における異周波数再選択要求信号の受信に応じて、異周波数（Ｉｎｔｅｒ−Ｆｒｅｑｕｅｎｃｙ）のセルへの対象セルの再選択を行う。異周波数再選択要求信号は、ターゲット周波数Ｆ２のセル（＃１−２及び＃２−２）の優先度よりも高い優先度を有する高優先セル（＃２−３）を有するｅＮＢ２００から報知されてもよい。すなわち、異周波数再選択要求信号は、エリア＃１に設けられたセルを有するｅＮＢ２００から報知されなくてもよい。異周波数再選択要求信号は、エリア＃２に設けられたセルを有するｅＮＢ２００から報知されるシステム情報（ＳＩＢ）に含まれてもよい。
【０２８９】
変更例２２では、異周波数再選択要求信号の受信に応じて、異周波数（Ｉｎｔｅｒ−Ｆｒｅｑｕｅｎｃｙ）のセルへの対象セルの再選択が行われた場合であっても、所定タイマを停止しなくてもよい。
【０２９０】
ＵＥ１００（制御部）は、ソース周波数（Ｆ１）のセル（セル＃１−１）から報知されるパラメータではなくて、ターゲット周波数（Ｆ２）のセル（セル＃２−２）から報知されるパラメータに基づいて、異周波数のセルへの前記対象セルの再選択を行ってもよい。ターゲット周波数（Ｆ２）のセル（セル＃２−２）から報知される各種パラメータは、例えば、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【０２９１】
変更例２２によれば、変更例２０と同様に、所定タイマの起動中においてエリア＃１からエリア＃２にＵＥ１００が移動する可能性が高い場合において、所定タイマが満了するまで高優先度セルが対象セルとして選択されない事態を抑制することができる。所定タイマの起動中においてエリア＃１からエリア＃２にＵＥ１００が移動する可能性が低い場合において、ソース周波数とターゲット周波数との間におけるピンポン現象を抑制することができる。
【０２９２】
［変更例２３］
実施形態の変更例２３について説明する。
【０２９３】
変更例２３に係るユーザ端末は、異なる周波数で運用される複数のセルの中からサービングセルとして用いる対象セルを選択する制御部と、前記対象セルの再選択を要求する再選択要求信号を現在のサービングセルから受信する受信部とを備える。前記制御部は、前記再選択要求信号の受信に応じて、ターゲット周波数のセルへの前記対象セルの再選択を行うとともに所定タイマを起動する。前記制御部は、前記所定タイマの起動中において前記ターゲット周波数のセルを前記対象セルとして用いる。前記制御部は、前記ユーザ端末の移動速度に基づいて前記所定タイマの満了時間を変更する。
【０２９４】
周波数又はセルの優先度（以下、絶対優先度（Ａｂｓｏｌｕｔｅ  Ｐｒｉｏｒｉｔｙ（＝ｃｅｌｌＲｅｓｅｌｅｃｔｉｏｎＰｒｉｏｒｉｔｙ））と称する）がシステム情報（ＳＩＢ）によって現在のサービングセルから報知されている前提下において、ＵＥ１００（受信部）が再配分パラメータを受信するケースについて考える。再配分パラメータは、例えば、サービングセル又はサービングセルと同じ周波数のセルが対象セルとして選択される確率を規定する値（ｒｅｄｉｓｔｒｉｂｕｔｉｏｎＳｅｒｖｉｎｇＩｎｆｏ）及びｉ番目の候補周波数と同じ周波数のセル又はｉ番目の候補セルが対象セルとして選択される確率を規定する値（ｒｅｄｉｓｔｒｉｂｕｔｉｏｎＩｎｔｅｒＦｒｅｑＩｎｆｏ）の少なくともいずれか一方であってもよい。
【０２９５】
“ｒｅｄｉｓｔｒｉｂｕｔｉｏｎＳｅｒｖｉｎｇＩｎｆｏ”は、例えば、“ｒｅｄｉｓｔｒｉｂｕｔｉｏｎＦａｃｔｏｒＳｅｒｖｉｎｇ”、“ｒｅｄｉｓｔｒｉｂｕｔｉｏｎＦａｃｔｏｒＣｅｌｌ”、“ｔ３６０”及び“ｒｅｄｉｓｔｒＯｎＰａｇｉｎｇＯｎｌｙ”を含む。“ｒｅｄｉｓｔｒｉｂｕｔｉｏｎＦａｃｔｏｒＳｅｒｖｉｎｇ”は、サービングセル又はサービングセルと同じ周波数のセルが対象セルとして選択される確率を示す情報要素である。“ｒｅｄｉｓｔｒｉｂｕｔｉｏｎＦａｃｔｏｒＣｅｌｌ”は、上述した確率（“ｒｅｄｉｓｔｒｉｂｕｔｉｏｎＦａｃｔｏｒＳｅｒｖｉｎｇ”）がセル単位で適用されるか周波数単位で適用されるかを示す情報要素である。“ｔ３６０”は、上述した所定タイマ（Ｔ３６０）にセットされる値である。“ｒｅｄｉｓｔｒＯｎＰａｇｉｎｇＯｎｌｙ”は、ページング信号に含まれる再選択要求信号（変更例７を参照）のみによって対象セルの再選択を行うことを指示する情報要素である。
【０２９６】
“ｒｅｄｉｓｔｒｉｂｕｔｉｏｎＩｎｔｅｒＦｒｅｑＩｎｆｏ”は、例えば、“ｒｅｄｉｓｔｒｉｂｕｔｉｏｎＦａｃｔｏｒＦｒｅｑ”及び“ｒｅｄｉｓｔｒｉｂｕｔｉｏｎＦａｃｔｏｒＣｅｌｌ”を含む。“ｒｅｄｉｓｔｒｉｂｕｔｉｏｎＦａｃｔｏｒＦｒｅｑ”は、ｉ番目の候補周波数と同じ周波数のセルが対象セルとして選択される確率を示す情報要素である。“ｒｅｄｉｓｔｒｉｂｕｔｉｏｎＦａｃｔｏｒＣｅｌｌ”は、ｉ番目の候補セルが対象セルとして選択される確率を示す情報要素である。“ｒｅｄｉｓｔｒｉｂｕｔｉｏｎＩｎｔｅｒＦｒｅｑＩｎｆｏ”は、周波数単位の設定（“ｒｅｄｉｓｔｒｉｂｕｔｉｏｎＦａｃｔｏｒＦｒｅｑ”及び“ｒｅｄｉｓｔｒｉｂｕｔｉｏｎＦａｃｔｏｒＣｅｌｌ”）をリスト形式で含んでもよい。“ｒｅｄｉｓｔｒｉｂｕｔｉｏｎＩｎｔｅｒＦｒｅｑＩｎｆｏ”は、１つの周波数を用いるセル単位の設定（“ｒｅｄｉｓｔｒｉｂｕｔｉｏｎＦａｃｔｏｒＦｒｅｑ”及び“ｒｅｄｉｓｔｒｉｂｕｔｉｏｎＦａｃｔｏｒＣｅｌｌ”）をリスト形式で含んでもよい。
【０２９７】
例えば、上述した変更例１９で説明したｒｅｄｉｓｔｒＲａｎｇｅ［０］は、ｒｅｄｉｓｔｒｉｂｕｔｉｏｎＦａｃｔｏｒＳｅｒｖｉｎｇ”と対応する。上述した変更例１９で説明したｒｅｄｉｓｔｒＲａｎｇｅ［ｉ］は、“ｒｅｄｉｓｔｒｉｂｕｔｉｏｎＦａｃｔｏｒＦｒｅｑ”又は“ｒｅｄｉｓｔｒｉｂｕｔｉｏｎＦａｃｔｏｒＣｅｌｌ”と対応する。
【０２９８】
第１に、ＵＥ１００は、再配分パラメータを受信すると、現在のサービングセルからシステム情報によって報知されている絶対優先度を無視してもよい。ＵＥ１００は、再配分パラメータに基づいてターゲット周波数のセルへの対象セルの再選択を行う。
【０２９９】
このような場合に、ＵＥ１００は、変更例５及び変更例２０と同様に、対象セルの再選択に応じて所定タイマ（Ｔ３６０）を起動するとともに、所定タイマの起動中においてターゲット周波数のセルを対象セルとして用いてもよい。ＵＥ１００は、所定タイマの満了後において、絶対優先度を無視するとともに再配分パラメータに基づいてターゲット周波数のセルへの対象セルの再選択を行ってもよい。ＵＥ１００は、ページング信号に含まれる再選択要求信号（変更例７を参照）のみによって対象セルの再選択を行うことを指示する情報要素がシステム情報に含まれている場合に、所定タイマが満了した後の状態又は所定タイマが起動中でない状態において、システム情報によって報知されている絶対優先度に基づいて、対象セルの再選択を行ってもよい。
【０３００】
第２に、ＵＥ１００は、絶対優先度がシステム情報によって報知されていたとしても、再配分パラメータを受信した場合に、再配分パラメータに基づいてターゲット周波数のセルへの対象セルの再選択を行ってもよい。
【０３０１】
ＵＥ１００は、所定タイマ（Ｔ３６０）が起動中でない又は所定タイマが満了していることを条件として、再配分パラメータに基づいてターゲット周波数のセルへの対象セルの再選択を行ってもよい。ＵＥ１００は、ページング信号に含まれる再選択要求信号（変更例７を参照）のみによって対象セルの再選択を行うことを指示する情報要素（例えば、ｒｅｄｉｓｔｒＯｎＰａｇｉｎｇＯｎｌｙ）がシステム情報に含まれていないことを条件として、再配分パラメータに基づいてターゲット周波数のセルへの対象セルの再選択を行ってもよい。
【０３０２】
ＵＥ１００は、ページング信号を受信するとともに、受信されたページング信号に再選択要求信号が含まれていることを条件として、再配分パラメータに基づいてターゲット周波数のセルへの対象セルの再選択を行ってもよい。
【０３０３】
このような場合に、ＵＥ１００は、変更例５及び変更例２０と同様に、対象セルの再選択に応じて所定タイマ（Ｔ３６０）を起動するとともに、所定タイマの起動中においてターゲット周波数のセルを対象セルとして用いてもよい。ＵＥ１００は、絶対優先度がシステム情報によって報知されていたとしても、所定タイマの満了後において再配分パラメータに基づいてターゲット周波数のセルへの対象セルの再選択を行ってもよい。ＵＥ１００は、ページング信号に含まれる再選択要求信号のみによって対象セルの再選択を行うことを指示する情報要素がシステム情報に含まれている場合に、所定タイマが満了した後の状態又は所定タイマが起動中でない状態において、システム情報によって報知されている絶対優先度に基づいて、対象セルの再選択を行ってもよい。
【０３０４】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０３０５】
実施形態では特に触れていないが、対象セルの選択に伴う隣接セルの品質測定は、所定タイミング（実施形態）において所定条件が満たされた場合に開始してもよい。或いは、ランダム性を有する値を用いた対象セルの選択（変更例１）は、所定条件が満たされたときに行われてもよい。例えば、所定条件は、ＵＥ１００のアクセスクラスが現在のサービングセルから通知されているアクセスクラスであることであってもよい。所定条件は、周波数の優先度ｍｏｄＡＣ＝０が満たされること、若しくは、セル−ＩＤｍｏｄＡＣ＝０が満たされることであってもよい。
【０３０６】
実施形態で説明したように、対象セルの選択手順全体としては、（Ａ）開始条件が満たされた場合に、現在のサービングセルに隣接する隣接セルの品質を測定する手順（測定手順）と、（Ｂ）選択条件を満たすセルの中からサービングセルとして用いる対象セルを選択する手順（選択手順）とを含む。実施形態は測定手順に関するものであり、変更例１〜変更例３は選択手順に関するものである。このようなケースにおいて、実施形態に係る測定手順と変更例１〜変更例３のいずれかに係る選択手順とを組み合わせてもよい。変更例１〜変更例３の中から選択された２以上の変更例に係る選択手順を組み合わせてもよい。
【０３０７】
変更例４では、現在のサービングセルが、複数のトリガー通知のいずれかである参照トリガー通知に応じて対象セルを選択する動作をＵＥ１００にトリガーさせるために、ＵＥ１００が有するカウンタ及びトリガー通知に含まれるカウンタ値を用いるケースを例示した。しかしながら、変更例４は、これに限定されるものではない。具体的には、現在のサービングセルから一定期間内において複数回に亘って報知されるトリガー通知のいずれかのトリガー通知（参照トリガー通知）に応じてＵＥ１００が対象セルを選択する動作をトリガーすればよい。従って、ＵＥ１００は、対象セルを選択する動作のトリガー（又は実行若しくは開始、以下同様）に応じてタイマを起動するとともに、タイマが満了するまでの間にトリガー通知を受信しても、対象セルを選択する動作をトリガーしないように構成されていてもよい。タイマが起動されてからタイマが満了するまでの時間は、トリガー通知が複数回に亘って報知される期間（上述した一定期間）と同程度であることが好ましい。複数のトリガー通知のそれぞれは、２以上の値を取り得るトグル情報を含んでおり、ＵＥ１００（制御部）は、参照トリガー通知に応じて対象セルを選択する動作をトリガーした場合に、参照トリガーに含まれるトグル情報を記憶領域に格納してもよい。このようなケースにおいて、ＵＥ１００（制御部）は、現在のサービングセルから報知されるトリガー通知に含まれるトグル情報が記憶領域に格納されるトグル情報と一致する場合に、対象セルを選択する動作をトリガーしない。ＵＥ１００（制御部）は、現在のサービングセルから報知されるトリガー通知に含まれるトグル情報が記憶領域に格納されるトグル情報と一致しない場合に、対象セルを選択する動作をトリガーする。
【０３０８】
実施形態では特に触れていないが、対象セルの再選択を促すパラメータ或いは対象セルの再選択を要求する再選択要求信号などのトリガー通知を送信するセル（以下、過負荷セル）については、以下のように取り扱ってもよい。具体的には、ＵＥ１００は、測定対象のセルから過負荷セルを除外してもよい。ＵＥ１００は、隣接セルが満たすべき基準（“Ｓ−ｃｒｉｔｅｒｉａ”）を過負荷セルが満たしていても、サービングセルとして用いる対象セルから過負荷セルを除外してもよい。ＵＥ１００は、ランキングを付与するセルから過負荷セルを除外してもよい。これによって、複数の隣接セルがトリガー通知を送信している状態（例えば、複数の隣接セルのいずれも負荷が高い状態）において、ＵＥ１００がこれらの隣接セルを交互に対象セルとして選択するピンポン現象が抑制される。
【０３０９】
実施形態では特に触れていないが、ＵＥ１００は、現在のサービングセルに在圏してから経過した時間が禁止時間閾値（例えば、１秒）を超えるという条件が満たされた場合に、対象セルの再選択を行ってもよい。このような前提下において、ＵＥ１００が、上述したトリガー通知に応じて対象セルの再選択を行う場合には、上述した開始条件（Ａ１やＡ２）に応じて対象セルの再選択を行うケースで用いる時間閾値よりも長い時間閾値を用いることが好ましい。これによって、複数の隣接セルがトリガー通知を送信している状態（例えば、複数の隣接セルのいずれも負荷が高い状態）において、ＵＥ１００が、これらの隣接セルを交互に対象セルとして選択するピンポン現象が抑制される。同様の観点から、ＵＥ１００が、上述したトリガー通知に応じて対象セルの再選択を行う場合には、上述した開始条件（Ａ１やＡ２）に応じて対象セルの再選択を行うケースで用いる所定期間（ＴｒｅｓｅｌｅｃｔｉｏｎＲＡＴ）よりも長い所定期間（ＴｒｅｓｅｌｅｃｔｉｏｎＲＡＴ）を用いることが好ましい。
【０３１０】
実施形態及び変更例において、優先度（ｃｅｌｌＲｅｓｅｌｅｃｔｉｏｎＰｒｉｏｒｉｔｙ）は、セルの周波数に割り当てられた優先度と考えてもよく、セルに割り当てられた優先度と考えてもよい。例えば、優先度（ｃｅｌｌＲｅｓｅｌｅｃｔｉｏｎＰｒｉｏｒｉｔｙ）は、ｉｎｔｅｒ−ｆｒｅｑｕｅｎｃｙの優先度であってもよく、ｉｎｔｅｒ−ＲＡＴ  ｆｒｅｑｕｅｎｃｙ  ｃｅｌｌの優先度であってもよい。
【０３１１】
変更例２０−２２では特に触れていないが、対象セルの再選択方法は、特に限定されるものではなく、実施形態又は他の変更例に記載された方法であってもよい。
【０３１２】
実施形態では特に触れていないが、ＵＥ１００及びｅＮＢ２００が行う各処理をコンピュータに実行させるプログラムが提供されてもよい。プログラムは、コンピュータ読取り可能媒体に記録されていてもよい。コンピュータ読取り可能媒体を用いれば、コンピュータにプログラムをインストールすることが可能である。プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【０３１３】
ＵＥ１００及びｅＮＢ２００が行う各処理を実行するためのプログラムを記憶するメモリ及びメモリに記憶されたプログラムを実行するプロセッサによって構成されるチップが提供されてもよい。
【０３１４】
実施形態では、移動通信システムの一例としてＬＴＥシステムを説明した。しかしながら、実施形態はこれに限定されるものではない。移動通信システムは、ＬＴＥシステム以外のシステムであってもよい。
【０３１５】
［付記］
１．はじめに
ＲＡＮ＃９３ｂｉｓでは、タイマＴ３６０終了後の曖昧さに関する問題が確認された。この付記では、問題を再検討し、合意されたＵＥの行動をキャプチャする方法について議論した。
【０３１６】
２．検討
２．１．シナリオ
指摘された問題は、絶対優先度及び再配分パラメータの両方が提供されている場合、Ｔ３６０満了時にＵＥがどのように動作するかということである。再配分が完了する前にＵＥがＴ３６０満了によりＦ１に移動してはならないというシナリオがＵＥの予想される動作として合意された。再配分パラメータがサービングセルのＳＩＢ中で提供されるときはいつでも、Ｔ３６０の満了時にＵＥはＥ−ＵＴＲＡＮインター周波数再配分手順を（再）実行するということもできる。
【０３１７】
考察１：Ｔ３６０が終了すると、ＵＥはＥ−ＵＴＲＡＮのインター周波数再配分手順を（再）実行する。
【０３１８】
他方、Ｔ３６０タイマの開始前後で、すなわち再配分パラメータが最初にＳＩ変更境界で提供されるときには、同じ問題が存在する。例えば、ＳＩＢにおいて、サービングセルが絶対優先度に加えて再配分パラメータを提供し始める可能性がある。
【０３１９】
考察２：Ｔ３６０タイマの開始前に、再配分パラメータがＳＩ変更境界で利用可能になる場合、ＵＥはＥ−ＵＴＲＡＮのインター周波数再配分手順も実行する必要がある。
【０３２０】
もちろん、一部のスマートなｅＮＢ実装は、上記の考察で述べられた条件を回避しようとするかもしれない。ただし、解決策が仕様中の曖昧さを修正する場合、解決策はＴ３６０満了時及びＴ３６０開始時の両方の条件に適用可能でなければならない。この意味では、絶対優先度及び再配分パラメータの両パラメータがサービングセルのＳＩＢで提供される場合、絶対優先度及び再配分パラメータのどのブロードキャストパラメータが優先度付けされるべきかと一般に言い換えることができる。予想されるＵＥの振る舞いは既に合意されている。
【０３２１】
確認１：解決策は、再配分パラメータがサービングセルのＳＩＢ中で提供されるときはいつでも、Ｅ−ＵＴＲＡＮインター周波数再配分手順がブロードキャストされた絶対優先度よりも優先されるというＵＥの動作を明確化すべきである。
【０３２２】
２．２．ＣＲのオプション
オプションはすでに提案されている。
【０３２３】
１）ＵＥ実装に委ねる。
【０３２４】
２）再配分手順を直ちに適用できるようにタイマＴ３６０が満了する前にＵＥは測定を完了しなければならないことを規定する。
【０３２５】
３）再配分手順を再適用する前に、ＵＥが常に以前の最も高い周波数を再選択することを可能にする。
【０３２６】
オプション１）は、妥当な解決策であるように思われるが、確認１の予想されるＵＥの振る舞いは仕様ではキャプチャできない。オプション２）は、Ｔ３６０の満了のシナリオでのみ機能する。オプション３）は、合意された予想されるＵＥの動作と一致しない。したがって、追加の解決策は確認１にさらに合意されるべきである。
【０３２７】
提案１：ＲＡＮ２は、Ｅ−ＵＴＲＡＮのインター周波数再配分手順を優先させるために、同意されたＵＥの動作をどのように規定するかについて議論するべきである。
【０３２８】
２．２．１．再選択の優先度の取り扱いにおける解決策
この問題は、再選択の優先度処理において次のように修正される可能性がある。
【０３２９】
「５．２．４．１  再選択の優先度の取り扱い。異なるＥ−ＵＴＲＡＮ周波数又はインターＲＡＴ周波数の絶対優先度は、システム情報、ＲＲＣＣｏｎｎｅｃｔｉｏｎＲｅｌｅａｓｅメッセージ中でＵＥに提供される、又はインターＲＡＴセル（再）選択時に別のＲＡＴから継承する。システム情報の場合、Ｅ−ＵＴＲＡＮ周波数又はインターＲＡＴ周波数は、優先度を与えずに列挙されてもよい（すなわち、その周波数に対してｃｅｌｌＲｅｓｅｌｅｃｔｉｏｎＰｒｉｏｒｉｔｙフィールドが存在しない）。専用シグナリングで優先度が提供されている場合、又は再配分パラメータが提供されている場合、ＵＥはシステム情報で提供されるすべての優先度を無視する。ＵＥが任意セル状態にキャンプしている場合、ＵＥは、現在のセルからのシステム情報によって提供される優先度のみを適用し、ＵＥは、別段の仕様がない限り、ＲＲＣＣｏｎｎｅｃｔｉｏｎＲｅｊｅｃｔで受信された専用シグナリング及びｄｅｐｒｉｏｒｉｔｉｓａｔｉｏｎＲｅｑによって提供される優先度を保持する。通常の状態にキャンプしているＵＥが、現在の周波数以外の専用優先度しか有していない場合、ＵＥは、現在の周波数を最低優先度周波数（すなわち、ネットワーク設定値のいずれよりも低い）とみなす。ＵＥが適切なＣＳＧセルにキャンプしている間、ＵＥは、そのセルが通常カバレッジでアクセス可能な場合であれば、現在の周波数に割り当てられた他の優先度値に関係なく、現在の周波数を常に最高優先度周波数とみなさなければならない（すなわち、ネットワーク設定値のいずれよりも高い）。サイドリンク通信が可能なＵＥがサイドリンク通信を行うように設定されており、周波数上でキャンプしている間だけサイドリンク通信を行うことができる場合、ＵＥは、その周波数を最も高い優先度とみなすことができる。注：ＵＥが最も優先度の高い周波数であるとみなす周波数の間の優先度付けは、ＵＥの実装に委ねられる。」
【０３３０】
２．２．２．Ｅ−ＵＴＲＡＮのインター周波数再配分手順における解決策
この問題は、Ｅ−ＵＴＲＡＮインター周波数再配分手順において以下のように修正することができる。
【０３３１】
「５．２．４．１０  Ｅ−ＵＴＲＡＮインター周波数再配分手順。ｃｅｌｌＲｅｌｅｃｔｉｏｎＰｒｉｏｒｉｔｙ（ｓ）がＳｙｓｔｅｍＩｎｆｏｒｍａｔｉｏｎＢｌｏｃｋＴｙｐｅ３及び／又はＳｙｓｔｅｍＩｎｆｏｒｍａｔｉｏｎＢｌｏｃｋＴｙｐｅ５で提供されていても、ＵＥが再配分可能であり、ＲｅｄｉｓｔｒｉｂｕｔｉｏｎＳｅｒｖｉｎｇＩｎｆｏがＳｙｓｔｅｍＩｎｆｏｒｍａｔｉｏｎＢｌｏｃｋＴｙｐｅ３に含まれ、ｒｅｄｉｓｔｒｉｂｕｔｉｏｎＩｎｔｅｒＦｒｅｑＩｎｆｏがＳｙｓｔｅｍＩｎｆｏｒｍａｔｉｏｎＢｌｏｃｋＴｙｐｅ５に含まれていて、ＵＥが専用の優先度で設定されていない場合であって、
−Ｔ３６０が動作しておらず、ＲｅｄｉｓｔｒＯｎＰａｇｉｎｇＯｎｌｙがＳｙｓｔｅｍＩｎｆｏｒｍａｔｉｏｎＢｌｏｃｋＴｙｐｅ３に存在しない場合、又は
−Ｔ３６０が満了し、ＲｅｄｉｓｔｒＯｎＰａｇｉｎｇＯｎｌｙがＳｙｓｔｅｍＩｎｆｏｒｍａｔｉｏｎＢｌｏｃｋＴｙｐｅ３に存在しない場合、又は
−ページングメッセージが受信され、ｒｅｄｉｓｔｒｉｂｕｔｉｏｎＩｎｄｉｃａｔｉｏｎが含まれている場合：
−５．２．４．２に規定するインター周波数測定を行う。
−測定結果が利用可能になると、５．２．４．１０．１で規定された再配分ターゲット選択を実行する。
−Ｔ３６０を起動する。
ＵＥは次の場合にＴ３６０を停止し、再配分対象となる周波数又はセルを考慮することを中止する。
−ＵＥがＲＲＣ＿ＣＯＮＮＥＣＴＥＤ状態に入る。又は
−Ｔ３６０が満了する。又は
−Ｔ３６０の動作中にページングメッセージが受信され、ｒｅｄｉｓｔｒｉｂｕｔｉｏｎＩｎｄｉｃａｔｉｏｎが含まれている場合。又は
−ＵＥが再配分ターゲットに属さないセルを再選択する。」
【０３３２】
提案２：ＲＡＮ２は、２つの解決策（再選択優先度処理又はＥ−ＵＴＲＡＮインター周波数再配分手順の明確化）を採用すべきかどうかを決めるべきである。
【０３３３】
３．まとめ
この付記では、タイマＴ３６０終了後の曖昧さに関する問題が絶対優先度及び再配分パラメータがブロードキャストされる条件に対して一般化されている。問題を解決するための追加のソリューションが提供される。
【０３３４】
[相互参照]
本願は米国仮出願第６２／２８１４４６号（２０１６年１月２１日出願）及び米国仮出願第６２／３３５３７６（２０１６年５月１２日出願）の優先権を主張し、その内容の全てが本願明細書に組み込まれている。
【産業上の利用可能性】
【０３３５】
本発明は、通信分野において有用である。
【図１】
2017126622.tif 000004
【図２】
2017126622.tif 000005
【図３】
2017126622.tif 000006
【図４】
2017126622.tif 000007
【図５】
2017126622.tif 000008
【図６】
2017126622.tif 000009
【図７】
2017126622.tif 000010
【図８】
2017126622.tif 000011
【図９】
2017126622.tif 000012
【図１０】
2017126622.tif 000013
【手続補正書】
【提出日】平成30年7月18日(2018.7.18)
【手続補正１】
【補正対象書類名】特許請求の範囲
【補正対象項目名】全文
【補正方法】変更
【補正の内容】
【特許請求の範囲】
【請求項１】
異なる周波数で運用される複数のセルの中からサービングセルとして用いる対象セルを選択する制御部と、
前記サービングセルにより報知されるセル再選択パラメータとして、再配分パラメータ及び絶対優先度を受信する受信部と、を備え、
前記制御部は、
前記再配分パラメータに基づいてターゲット周波数のセルへの前記対象セルの再選択を行うとともに所定タイマを起動する第１の処理と、
前記所定タイマの起動中において、前記第１の処理により選択したセルを前記対象セルとして用いる第２の処理と、
前記所定タイマの満了に応じて、前記絶対優先度に基づかずに対象セルの選択手順を行う第３の処理と、
前記サービングセルから送信されるページング信号のみによって前記ユーザ端末が前記対象セルの再選択を行うことを前記ユーザ端末に指示することを示す情報要素が前記サービングセルから報知されるシステム情報に含まれている場合において、前記所定タイマが満了した場合は、前記絶対優先度に基づいて前記対象セルの再選択を行う第４の処理と、を実行し、
前記対象セルの選択手順は、隣接セルの測定と前記再配分パラメータに基づくターゲット周波数のセルへの前記対象セルの再選択とを含むユーザ端末。
【請求項２】
前記制御部は、前記情報要素が前記システム情報に含まれていないことを条件として、前記第３の処理を実行する、請求項１に記載のユーザ端末。
【請求項３】
ユーザ端末であって、
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記ユーザ端末の移動速度に基づいて前記所定タイマの満了時間を変更する、ユーザ端末。
【請求項４】
前記制御部は、前記所定タイマの満了時間を定義する所定時間閾値に対して前記ユーザ端末の移動速度に基づいた係数を乗算した値を用いて、前記タイマの満了を判定する、請求項３に記載のユーザ端末。
【請求項５】
前記受信部は、前記所定タイマの満了時間を定義する複数の所定時間閾値を受信し、
前記制御部は、前記複数の所定時間閾値の中から、前記ユーザ端末の移動速度に基づいて選択された所定時間閾値を用いて、前記タイマの満了を判定する、請求項３に記載のユーザ端末。
【請求項６】
前記制御部は、前記所定タイマの起動後において前記ユーザ端末の移動速度が変化した場合に、前記所定タイマの満了時間を変更する、請求項３に記載のユーザ端末。
【請求項７】
前記制御部は、前記所定タイマを起動した際に参照された前記ユーザ端末の移動速度よりも前記ユーザ端末の移動速度が速くなった場合に、前記所定タイマの満了時間を変更する、請求項３に記載のユーザ端末。
【請求項８】
前記制御部は、前記所定タイマの起動中に前記所定タイマの満了時間を変更する、請求項３に記載のユーザ端末。
【請求項９】
前記制御部は、前記所定タイマの満了後に前記所定タイマの満了時間を変更する、請求項３に記載のユーザ端末。
【請求項１０】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記所定タイマの停止を要求する停止要求信号を受信した場合に、前記所定タイマを停止する、ユーザ端末。
【請求項１１】
前記停止要求信号は、前記ターゲット周波数のセルの優先度よりも高い優先度を有する高優先セルを有する基地局から報知される、請求項１０に記載のユーザ端末。
【請求項１２】
前記制御部は、前記ユーザ端末の移動速度が所定速度よりも速く、かつ、前記停止要求信号を受信した場合に、前記所定タイマを停止する、請求項１０に記載のユーザ端末。
【請求項１３】
異なる周波数で運用される複数のセルの中からサービングセルとして用いる対象セルを選択する制御部と、
前記対象セルの再選択を要求する再選択要求信号を現在のサービングセルから受信する受信部とを備え、
前記制御部は、前記再選択要求信号の受信に応じて、ターゲット周波数のセルへの前記対象セルの再選択を行うとともに所定タイマを起動し、
前記制御部は、前記所定タイマの起動中において前記ターゲット周波数のセルを前記対象セルとして用い、
前記制御部は、前記所定タイマの起動中における異周波数再選択要求信号の受信に応じて、異周波数のセルへの前記対象セルの再選択を行う、ユーザ端末。
【請求項１４】
前記制御部は、前記ターゲット周波数のセルから報知されるパラメータに基づいて、前記異周波数のセルへの前記対象セルの再選択を行う、請求項１３に記載のユーザ端末。
【請求項１５】
異なる周波数で運用される複数のセルの中からサービングセルとして用いる対象セルを選択するステップＡと、
前記対象セルの再選択を要求する再選択要求信号を現在のサービングセルから受信するステップＢと、
前記再選択要求信号の受信に応じて、ターゲット周波数のセルへの前記対象セルの再選択を行うとともに所定タイマを起動するステップＣと、
前記所定タイマの起動中において前記ターゲット周波数のセルを前記対象セルとして用いるステップＤと、
前記ユーザ端末の移動速度に基づいて前記所定タイマの満了時間を変更するステップＥとを備えることを特徴とする移動通信方法。
【請求項１６】
異なる周波数で運用される複数のセルの中からサービングセルとして用いる対象セルを選択するステップＡと、
前記対象セルの再選択を要求する再選択要求信号を現在のサービングセルから受信するステップＢと、
前記再選択要求信号の受信に応じて、ターゲット周波数のセルへの前記対象セルの再選択を行うとともに所定タイマを起動するステップＣと、
前記所定タイマの起動中において前記ターゲット周波数のセルを前記対象セルとして用いるステップＤと、
前記所定タイマの停止を要求する停止要求信号を受信した場合に、前記所定タイマを停止するステップＥとを備えることを特徴とする移動通信方法。
【請求項１７】
異なる周波数で運用される複数のセルの中からサービングセルとして用いる対象セルを選択するステップＡと、
前記対象セルの再選択を要求する再選択要求信号を現在のサービングセルから受信するステップＢと、
前記再選択要求信号の受信に応じて、ターゲット周波数のセルへの前記対象セルの再選択を行うとともに所定タイマを起動するステップＣと、
前記所定タイマの起動中において前記ターゲット周波数のセルを前記対象セルとして用いるステップＤと、
前記所定タイマの起動中における異周波数再選択要求信号の受信に応じて、異周波数のセルへの前記対象セルの再選択を行うステップＥとを備えることを特徴とする移動通信方法。
【国際調査報告】
2017126622.tif 000014
2017126622.tif 000015
2017126622.tif 000016
2017126622.tif 000017
2017126622.tif 000018
2017126622.tif 000019
2017126622.tif 000020
2017126622.tif 000021
2017126622.tif 000022
2017126622.tif 000023